(57)【要約】  ＵＥ７０を識別する移動端末識別子に対応づけて、ホーム基地局６０を識別するためのＡＰＮと、ＵＥ７０が利用可能なサービス種別とをサブスクリプション情報として記憶するサブスクリプション記憶部と、ＭＭＥ４０より、ＵＥ７０の位置情報更新要求を受信する位置情報更新要求受信部と、位置情報更新要求に含まれる移動端末識別子に対応する利用可能なサービス種別をサブスクリプション記憶部から抽出し、位置情報更新応答に含めてＭＭＥ４０へ送信する位置情報応答送信部と、を備えることを特徴とする。これにより、ホーム基地局のローカルＩＰアクセス機能を用いて提供される複数サービスについて、ホーム基地局所有者等が、そのサービス毎にアクセス権限を設定でき、さらに、設定されたアクセス権限に基づいて通信データの転送がなされる移動通信システム等を提供することとなる。
2010150734.tif 000002
【特許請求の範囲】
【請求項１】
移動端末が接続されたホーム基地局を有するホームネットワークと、加入者情報管理装置、位置管理装置及びアクセス制御装置が接続されるコアネットワークとが外部ネットワークを介して接続されている移動通信システムであって、
前記加入者情報管理装置は、
前記移動端末を識別する移動端末識別子に対応づけて、ホーム基地局を識別するためのＡＰＮ（Access Point Name）と、前記移動端末が利用可能なサービス種別とをサブスクリプション情報として記憶するサブスクリプション記憶部と、
前記位置管理装置より、前記移動端末の位置情報更新要求を受信する位置情報更新要求受信部と、
前記位置情報更新要求に含まれる移動端末識別子に対応するサービス種別を前記サブスクリプション記憶部から抽出し、位置情報更新応答に含めて前記位置管理装置へ送信する位置情報応答送信部と、
を備えることを特徴とする移動通信システム。
【請求項２】
移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる加入者情報管理装置であって、
前記移動端末を識別する移動端末識別子に対応づけて、ホーム基地局を識別するためのＡＰＮ（Access Point Name）と、前記移動端末が前記ホーム基地局を介して利用可能なサービス種別とをサブスクリプション情報として記憶するサブスクリプション記憶部と、
前記位置管理装置より、前記移動端末の位置情報更新要求を受信する位置情報更新要求受信部と、
前記位置情報更新要求に含まれる移動端末識別子に対応するサービス種別を前記サブスクリプション記憶部から抽出し、位置情報更新応答に含めて前記位置管理装置へ送信する位置情報応答送信部と、
を備えることを特徴とする加入者情報管理装置。
【請求項３】
前記サブスクリプション情報に含まれる前記移動端末が利用可能なサービス種別は、前記移動端末がインターネットへの接続の許否及びホームネットワークへの接続の許否を示すことを特徴とする請求項２に記載の加入者情報管理装置。
【請求項４】
移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる位置管理装置であって、
前記移動端末から移動端末識別子を含むアタッチ要求を受信するアタッチ要求受信部と、
前記アタッチ要求から移動端末識別子を抽出し、当該移動識別子を含む位置情報更新要求を、前記加入者情報管理装置へ送信する位置情報更新要求送信部と、
前記加入者情報管理装置から、前記移動端末が利用可能なサービス種別を含む位置情報更新応答を受信する位置情報更新応答受信部と、
前記位置情報更新応答から、サービス種別を抽出し、当該利用可能サービスに基づいて、前記移動端末からのアタッチ要求の可否を判定するアタッチ要求可否判定部と、
を備えることを特徴とする位置管理装置。
【請求項５】
移動端末が接続されたホーム基地局を有するホームネットワークと、加入者情報管理装置、位置管理装置及びアクセス制御装置が接続されるコアネットワークとが外部ネットワークを介して接続されている移動通信システムに含まれるホーム基地局であって、
前記位置管理装置から、サービス種別を含むベアラ設定要求を受信するベアラ設定要求受信部と、
前記移動端末の通信を制御するために、サービス種別に応じたパケットフィルタリング情報を記憶するパケットフィルタリング情報記憶部と、
前記ベアラ設定要求に含まれるサービス種別と、前記パケットフィルタリング情報とから、接続される移動端末に対してパケットフィルタリングの制御を行うパケットフィルタリング制御部と、
を備えることを特徴とするホーム基地局。
【請求項６】
移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる移動端末であって、
前記ホーム基地局には、ローカルＩＰアクセス用アクセス制御装置が含まれており、
前記ホーム基地局から、サービス種別を受信するサービス種別受信部と、
前記サービス種別に応じて、移動端末が通信路を確保するためのアクセス制御装置として、コアネットワークに接続されているアクセス制御装置を利用するか、ホーム基地局に含まれているローカルＩＰアクセス用アクセス制御装置を利用するかを選択する選択部と、
を備えることを特徴とする移動端末。
【請求項７】
前記サービス種別受信部は、前記ホーム基地局から送信されるＰＣＯ（Protocol Configuration Option）を受信し、当該ＰＣＯに含まれているサービス種別から抽出することを特徴とする請求項６に記載の移動端末。
【発明の詳細な説明】
【技術分野】
【０００１】
本発明は、移動通信システム等に関する。
【背景技術】
【０００２】
移動通信システムの標準化団体３ＧＰＰ（The 3rd Generation Partnership Project）では、次世代の移動体通信システムとしてＥＰＳ（Evolved Packet System）を検討しており、ＥＰＳの構成装置として、宅内等に設置する小型基地局であるＨｅＮＢ（Home eNodeB）が検討されている（以下、ホーム基地局と呼ぶ）。【０００３】
ホーム基地局は、フェムトセルと呼ばれる小規模の無線セルを構築し、通常の基地局と同じ無線アクセス技術を用いて、ＵＥ（User Equipment：移動端末装置）を収容する。そして、ブロードバンド回線を経由して移動通信システムのコアネットワークに接続し、収容しているＵＥの通信データを中継することができる。【０００４】
ホーム基地局は、ブロードバンド回線をバックホールとして使用し、一般ユーザによる設置が可能となるため、移動通信システムのカバレッジエリア、特に屋内でのカバレッジエリアを容易に広げることができる。また、セル半径が小さく、少ないユーザ数で当該セルを独占できるため、多数のユーザで共有しなくてはならない屋外のマクロセル基地局と比べて通信速度及び周波数利用効率の向上が見込める。【０００５】
さらに非特許文献２にはローカルＩＰアクセス機能がホーム基地局の機能要件として定められている。ローカルＩＰアクセスとは、家庭内ネットワークといったホーム基地局が直接接続しているネットワーク（以下、「ホームネットワーク」と呼ぶ。）への接続性をＵＥに提供するものであり、例えばホームネットワークに接続している他の情報端末（プリンタ等）にＵＥから接続したり（以下、これを「ホームネットワーク接続サービス」と呼ぶ。）、移動通信システムのコアネットワークを経由せずインターネット接続したり（以下、これを「インターネット接続サービス」と呼ぶ。）することも可能となる。【０００６】
従来は、ＵＥがプリンタ等セルラー通信インタフェースを持たない機器と直接通信を行うためには、無線ＬＡＮ等のローカルエリア用通信インタフェースをＵＥに搭載する必要があった。しかし、ローカルＩＰアクセスを用いることによって、ホーム基地局が異種無線アクセス技術間のゲートウェイとして機能するため、セルラー通信インタフェースのみを搭載しているＵＥであってもホームネットワーク内の他の通信端末と通信することができる。【０００７】
また、ローカルＩＰアクセスを用いれば、移動通信システムのコアネットワークを経由せずにインターネット接続が行えるので、移動通信事業者の観点からは、トラフィックの負荷分散（オフロード）ができる。【０００８】
また、マクロセル基地局とは異なり、ホーム基地局は、その利用形態から、特定ＵＥにのみアクセス権を付与することができ、クローズ、オープン、ハイブリッドと呼ばれる３つのアクセスモードが規定されている。各ホーム基地局には、ＣＳＧＩＤ（Closed Subscriber Group Identification）と呼ばれるグループ識別子がそれぞれ割り当てられ、クローズモードでは、ＣＳＧＩＤ毎に、どのＵＥからの接続を許可するかを設定することができる。オープンモードでは、すべてのＵＥにホーム基地局へのアクセス権を付与する。ハイブリッドモードは、クローズモードとオープンモードを組み合わせたものであり、クローズモードでのアクセス権を付与されたＵＥの通信を優先的に扱うことができる。【０００９】
また、ローカルＩＰアクセスについては、ユーザのサブスクリプション情報に基づいて、当該機能の利用可否を判断することが要求条件として規定されている。さらには、ＵＥがホーム基地局に接続している際には、ローカルＩＰアクセス及びコアネットワークへの接続が同時利用できることが機能要件として定められている。【００１０】
さらには、非特許文献３には、ホーム基地局を実現するためのアーキテクチャ候補が示されている。
【先行技術文献】
【非特許文献】
【００１１】
【非特許文献１】3GPP TS23.401 General Packet Radio Service (GPRS) enhancements for Evolved Universal Terrestrial Radio Access Network (E-UTRAN) access
【非特許文献２】3GPP TS 22.220
【非特許文献３】3GPP TR 23.830
【非特許文献４】3GPP 寄書S2-092308（Local IP access baseline solution for EHNB）
【発明の概要】
【発明が解決しようとする課題】
【００１２】
非特許文献３で開示される情報によれば、ホーム基地局におけるアクセス制御は、前述の３つのアクセスモード及びローカルＩＰアクセス機能の利用可否を判断するサブスクリプション情報によって決定される。しかしながら、ホーム基地局の利用シナリオを考慮すれば、以下に述べるようなより細かなアクセス権限をホーム基地局所有者或いは移動通信事業者が設定できることが望ましい。【００１３】
例えば、ホーム基地局を家庭内に設置するケースを想定すると、家を訪れた友人によっては、ローカルＩＰアクセスを用いたインターネット接続サービスのみを提供し、プライバシーやセキュリティの観点からホームネットワーク接続サービスは許可したくないといった要望がある。【００１４】
また、ショッピングモール等に設置するケースを想定すると、広告宣伝情報等を配信する広告配信サーバをホームネットワーク内に設置し、訪れている顧客にはローカルＩＰアクセスを用いたホームネットワーク接続サービスのみを許可し、広告配信サーバとの接続を提供するが、インターネット接続サービスについては提供しないといった要望もある。
しかし、前述のアクセスモード及びサブスクリプション情報に基づくアクセス制御だけでは、ローカルＩＰアクセスで利用可能となる複数サービスについて、個別にアクセス権限を設定する仕組みがないため、上述の利用シナリオを実現することができないという課題があった。【００１５】
また、ローカルＩＰアクセス利用時には、ＵＥがホーム基地局経由で送信する通信データだけでなく、ホームネットワークに接続された他の情報端末からＵＥへ送信される通信データについても、アクセス権限に応じた接続制限がなされるべきである。【００１６】
例えば、当該情報端末からホームネットワーク接続サービスを許可されていないＵＥへの通信は、遮断されるべきであるし、もし当該ＵＥにローカルＩＰアクセス経由でのインターネット接続サービスの利用権限が付与されているのであれば、それに該当する通信データについてはＵＥに正常に転送されるべきである。しかしながら、前述のアクセス権限の問題により、現状ではこれらのパケットをフィルタリングすることができない。【００１７】
さらには、ローカルＩＰアクセスにおいて、どのサービスが許可されているかをＵＥに通知する仕組みがないという課題もある。【００１８】
例えば、ＥＰＳでは、インターネット接続サービスやＩＭＳサービスのようなネットワークサービス毎にＰＤＮ（Packet Data Network：パケット通信網）があり、それぞれのＰＤＮを一意に識別するＡＰＮ（Access Point Name）を用いて特定ＰＤＮへの接続を明示する。そして、非特許文献４では、ローカルＩＰアクセスを用いて接続するネットワーク（ホームネットワーク及びブロードバンドアクセスネットワーク経由で接続されるインターネット）を１つのＰＤＮ（Packet Data Network：パケット通信網）として捉え、ローカルＩＰアクセス用に専用ＡＰＮを割り当てることが提案されている。【００１９】
これにより、ＵＥは、コアネットワーク経由でネットワーク接続を行う際に明示するＡＰＮと、ローカルＩＰアクセスを用いてネットワーク接続を行う際に明示するＡＰＮとを分けて用いることができ、ローカルＩＰアクセス及びコアネットワークへの接続が同時利用できる。また、ローカルＩＰアクセスについて、１つのＰＤＮとして集約することにより、ＵＥの管理情報（ＰＤＮ毎に設定されるＩＰアドレスや各種設定情報など）も集約できる。【００２０】
しかしながら、ＡＰＮは単なる文字列であり、ＵＥがローカルＩＰアクセス用ＡＰＮを取得したところで、それはローカルＩＰアクセスを利用するための識別情報が提供されただけであり、具体的にどのサービスが利用できるか（インターネット接続サービスが利用できるかどうか等）までを判断することはできない。【００２１】
従って、インターネット接続サービスを利用したいＵＥは、コアネットワーク経由で行うか、或いは、インターネット接続の可否が不明なままローカルＩＰアクセス経由で試みるかの、どちらかを選択することになる。仮に前者を選択した場合には、移動通信事業者が望むようなトラフィックのオフロードは実現されない。【００２２】
また、後者を選択した場合には、アクセス権限上、インターネット接続サービスが利用できないにもかかわらず、ＵＥがローカルＩＰアクセス経由でインターネット接続を試み続ける可能性がある。さらに、ＵＥ自身は、接続できない理由がアクセス権限に起因するものであるのか、実際に接続先に障害が発生しているのかを判断することすらできないため、後者から前者に自動的に切り替えるといったフォールバック機能を働かせることもできなかった。【００２３】
加えて、ホーム基地局は、既存の移動通信システムへの機能拡張として導入されるものであり、現行仕様への変更は最小限に留めることが求められる。従って、上記の課題を解決する具体的手段についても、非特許文献１で規定されるＥＰＳに対する最小限の機能拡張で実現されなくてはならない。【００２４】
本発明は、このような事情を鑑みてなされたもので、その目的は、ホーム基地局のローカルＩＰアクセス機能を用いて提供される複数サービスについて、ホーム基地局所有者或いは移動通信事業者が、そのサービス毎にアクセス権限を設定でき、さらに、設定されたアクセス権限に基づいて通信データの転送がなされるホーム基地局及び上記設定されたアクセス権限に基づき移動端末が通信経路を選択可能な移動通信システム等を提供することである。
【課題を解決するための手段】
【００２５】
上述した課題に鑑み、本発明の移動通信システムは、移動端末が接続されたホーム基地局を有するホームネットワークと、加入者情報管理装置、位置管理装置及びアクセス制御装置が接続されるコアネットワークとが外部ネットワークを介して接続されている移動通信システムであって、前記加入者情報管理装置は、前記移動端末を識別する移動端末識別子に対応づけて、ホーム基地局を識別するためのＡＰＮ（Access Point Name）と、前記移動端末が利用可能なサービス種別とをサブスクリプション情報として記憶するサブスクリプション記憶部と、前記位置管理装置より、前記移動端末の位置情報更新要求を受信する位置情報更新要求受信部と、前記位置情報更新要求に含まれる移動端末識別子に対応するサービス種別を前記サブスクリプション記憶部から抽出し、位置情報更新応答に含めて前記位置管理装置へ送信する位置情報応答送信部と、を備えることを特徴とする。【００２６】
本発明の加入者情報管理装置は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる加入者情報管理装置であって、前記移動端末を識別する移動端末識別子に対応づけて、ホーム基地局を識別するためのＡＰＮ（Access Point Name）と、前記移動端末が前記ホーム基地局を介して利用可能なサービス種別とをサブスクリプション情報として記憶するサブスクリプション記憶部と、前記位置管理装置より、前記移動端末の位置情報更新要求を受信する位置情報更新要求受信部と、前記位置情報更新要求に含まれる移動端末識別子に対応するサービス種別を前記サブスクリプション記憶部から抽出し、位置情報更新応答に含めて前記位置管理装置へ送信する位置情報応答送信部と、を備えることを特徴とする。【００２７】
また、本発明の加入者情報管理装置において、前記サブスクリプション情報に含まれる前記移動端末が利用可能なサービス種別は、前記移動端末がインターネットへの接続の許否及びホームネットワークへの接続の許否を示すことを特徴とする。【００２８】
本発明の位置管理装置は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる位置管理装置であって、前記移動端末から移動端末識別子を含むアタッチ要求を受信するアタッチ要求受信部と、前記アタッチ要求から移動端末識別子を抽出し、当該移動識別子を含む位置情報更新要求を、前記加入者情報管理装置へ送信する位置情報更新要求送信部と、前記加入者情報管理装置から、前記移動端末が利用可能なサービス種別を含む位置情報更新応答を受信する位置情報更新応答受信部と、前記位置情報更新応答から、サービス種別を抽出し、当該利用可能サービスに基づいて、前記移動端末からのアタッチ要求の可否を判定するアタッチ要求可否判定部と、を備えることを特徴とする。【００２９】
本発明のホーム基地局は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれるホーム基地局であって、前記位置管理装置から、サービス種別を含むベアラ設定要求を受信するベアラ設定要求受信部と、前記移動端末の通信を制御するために、サービス種別に応じたパケットフィルタリング情報を記憶するパケットフィルタリング情報記憶部と、前記ベアラ設定要求に含まれるサービス種別と、前記パケットフィルタリング情報とから、接続される移動端末に対してパケットフィルタリングの制御を行うパケットフィルタリング制御部と、を備えることを特徴とする。【００３０】
本発明の移動端末は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる移動端末であって、前記ホーム基地局には、ローカルＩＰアクセス用アクセス制御装置が含まれており、前記ホーム基地局から、サービス種別を受信するサービス種別受信部と、前記サービス種別に応じて、移動端末が通信路を確保するためのアクセス制御装置として、コアネットワークに接続されているアクセス制御装置を利用するか、ホーム基地局に含まれているローカルＩＰアクセス用アクセス制御装置を利用するかを選択する選択部と、を備えることを特徴とする。【００３１】
また、本発明の移動端末において、前記サービス種別受信部は、前記ホーム基地局から送信されるＰＣＯ（Protocol Configuration Option）を受信し、当該ＰＣＯに含まれているサービス種別から抽出することを特徴とする。
【発明の効果】
【００３２】
本発明によれば、既存のシステムへの改変を最小限に抑えながら、移動端末がホーム基地局のローカルＩＰアクセス機能を用いたサービスを利用する際に、ホーム基地局所有者或いは移動通信事業者がサービス単位のアクセス制御を行うことができる。
【図面の簡単な説明】
【００３３】
【図１】第１実施形態における移動通信システムの概略図である。
【図２】第１実施形態におけるＰＧＷの構成図である。
【図３】第１実施形態におけるＰＧＷのバインディング情報を示す図である。
【図４】第１実施形態におけるＳＧＷの構成図である。
【図５】第１実施形態におけるＨＳＳの構成図である。
【図６】第１実施形態におけるＨＳＳのサブスクリプションＤＢの一例を示す図である。
【図７】第１実施形態におけるＭＭＥの構成図である。
【図８】第１実施形態におけるＭＭＥのサブスクリプションＤＢの一例を示す図である。
【図９】第１実施形態におけるＭＭＥのＡＰＮ−ＩＰアドレス変換ＤＢの一例を示す図である。
【図１０】第１実施形態におけるＧＷの構成図である。
【図１１】第１実施形態におけるホーム基地局の構成図である。
【図１２】第１実施形態におけるホーム基地局のバインディング情報を示す図である。
【図１３】第１実施形態におけるホーム基地局のパケットフィルタリング情報の一例を示す図である。
【図１４】第１実施形態におけるホーム基地局のＩＰアドレスプールの一例を示す図である。
【図１５】第１実施形態におけるＵＥの構成図である。
【図１６】第１実施形態におけるＵＥのＡＰＮリストの一例を示す図である。
【図１７】第１実施形態における情報端末の構成図である。
【図１８】第１実施形態におけるホーム基地局の登録処理シーケンス例を示す図である。
【図１９】第１実施形態におけるＭＭＥのＡＰＮ−ＩＰアドレス変換ＤＢの一例を示す図である。
【図２０】第１実施形態におけるＵＥのホーム基地局へのアタッチ処理シーケンス例を示す図である。
【図２１】第１実施形態におけるＵＥのローカルＩＰアクセス用アタッチ処理シーケンス例を示す図である。
【図２２】第１実施形態におけるＭＭＥのアクセス権限判定処理のフローチャートを示す図である。
【図２３】第１実施形態におけるローカルＩＰアクセス用ＰＭＩＰトンネル確立処理シーケンス例を示す図である。
【図２４】第１実施形態におけるホーム基地局のパケットフィルタリング処理のフローチャートを示す図である。
【図２５】第１実施形態におけるホーム基地局のパケットフィルタリング処理のフローチャートを示す図である。
【図２６】第１実施形態におけるＵＥのＰＤＮコネクション選択処理のフローチャートを示す図である。
【図２７】第２実施形態におけるホーム基地局の構成図である。
【図２８】第２実施形態におけるホーム基地局のアクセス権限情報の一例を示す図である。
【図２９】第２実施形態におけるローカルＩＰアクセス用ＰＭＩＰトンネル確立処理シーケンス例を示す図である。
【図３０】ホーム基地局の登録処理シーケンスの変形例を示す図である。
【発明を実施するための形態】
【００３４】
以下、図面を参照して本発明を実施するための最良の形態について説明する。なお、本実施形態では、一例として、本発明を適用した場合の移動通信システムの実施形態について、図を用いて詳細に説明する。
【００３５】
［１．第１実施形態］
まず、本発明を適用した移動通信システムの第１実施形態について、図面を参照して説明する。
【００３６】
［１．１  移動通信システムの概要］
図１は、本実施形態における移動通信システム１の概略を説明するための図である。本図に示すように、移動通信システム１は、コアネットワークとホームネットワークから構成され、コアネットワークとホームネットワークはブロードバンドアクセスネットワークを介して相互接続されている。ブロードバンドアクセスネットワークは、広帯域の通信を実現する有線アクセスネットワークであり、例えばＡＤＳＬや光ファイバー等によって構築される。ただし、これに限らずＷｉＭＡＸ等の無線アクセスネットワークであっても良い。
【００３７】
コアネットワークには、ＰＧＷ１０（Packet data GW）と、ＳＧＷ２０（Serving GW）と、ＨＳＳ３０（Home Subscriber Service）と、ＭＭＥ４０（Mobility Management Entity）と、ＧＷ５０とが配置されている。
【００３８】
ＰＧＷ１０は、インターネット等の外部ＰＤＮ（Packet Data Network：パケット通信ネットワーク）と接続され、コアネットワークとそれらのＰＤＮとを接続するゲートウェイとして機能するとともに、ＵＥ７０の通信データをＳＧＷ２０に転送するアクセス制御装置である。
【００３９】
ＳＧＷ２０は、ＧＷ５０と接続され、ＰＧＷ１０とホーム基地局６０間でパケットを転送するサービス制御装置である。なお、ＰＧＷ１０とＳＧＷ２０とは物理的に同一ノードで構成される場合もある。
【００４０】
ＭＭＥ４０は、シグナリングを行うエンティティであり、ＵＥ７０の位置管理及びＥＰＳベアラの確立手続きを主導する位置管理装置である。ＥＰＳベアラとは、ＵＥ毎にホーム基地局６０とＳＧＷ２０との間で確立されるユーザＩＰパケットを転送する論理パスのことである。なおＵＥ７０は、複数のＥＰＳベアラを確立することができる。
【００４１】
ＧＷ５０は、ホームネットワーク内に設置されているホーム基地局６０とコアネットワーク内の装置との間でゲートウェイとして機能する。
【００４２】
ＨＳＳ３０は、サブスクリプションデータ（加入者情報）を管理し、ユーザ認証等を行い、ＭＭＥ４０にＵＥ７０のサブスクリプションデータを通知する加入者情報管理装置である。サブスクリプションデータには、加入者のサービス加入情報や、アクセス許可されているＣＳＧＩＤのリスト等が格納される。
【００４３】
ホームネットワークは、ＵＥ７０と、情報端末８０と、ホーム基地局６０とを含んで構成される。また、ホームネットワークは、ブロードバンドアクセスネットワーク経由で外部ＰＤＮと相互接続されている。
【００４４】
ホーム基地局６０はフェムトセルを形成し、３ＧＰＰ  ＬＴＥ（Ｌｏｎｇ  Ｔｅｒｍ  Ｅｖｏｌｕｔｉｏｎ）の基地局としてＵＥ７０を収容する装置である。さらにホームネットワークにおけるホームゲートウェイとしても機能し、ブロードバンドアクセスネットワークに接続されている。
【００４５】
ＵＥ７０は、３ＧＰＰ  ＬＴＥの通信インタフェースを搭載する移動通信端末であり、ホーム基地局６０に接続されている。
【００４６】
情報端末８０は、ホームネットワークに接続されている情報端末であり、例えばプリンタやネットワークファイルサーバ等である。
【００４７】
［１．２  装置構成］
続いて、各装置の構成について図を用いて簡単に説明する。
【００４８】
［１．２．１  ＰＧＷの構成］
まず、本実施形態におけるＰＧＷ１０の構成について説明する。ＰＧＷ１０は、図２に示すように、制御部１００に、送受信部１１０と、パケット送受信部１２０と、記憶部１５０と、ＰＭＩＰ処理部１６０とがバスを介して接続されている。
【００４９】
制御部１００は、ＰＧＷ１０を制御するための機能部である。制御部は、記憶部１５０に記憶されている各種プログラムを読み出して実行することにより各種処理を実現する。
【００５０】
送受信部１１０は、ルータ又はスイッチに有線接続され、パケットの送受信を行う機能部である。例えば、ネットワークの接続方式として一般的に利用されているＥｔｈｅｒｎｅｔ（登録商標）等によりパケットを送受信する。
【００５１】
記憶部１５０は、ＰＧＷ１０の各種動作に必要なプログラム、データ等を記憶する機能部であり、例えば半導体メモリ等により構成されている。また、記憶部１５０は、バインディング情報１５２を記憶する。
【００５２】
バインディング情報１５２は、ＰＧＷ１０がＵＥ７０宛の通信データ（パケット）を受信した際に、当該通信データをＵＥ７０に転送するための伝送路を決定するために用いられる情報である。ここで、バインディング情報の一例を図３に示す。
【００５３】
図３に示されているように、ＵＥ７０のＩＰアドレスプレフィックス（以下、「ＨＮＰ（Ｈｏｍｅ  Ｎｅｔｗｏｒｋ  Ｐｒｅｆｉｘ）」と呼ぶ）と、ＳＧＷ２０への伝送路（例えば、「ＰＭＩＰトンネル１」）とを関連付けて記録している。なお、各ＵＥにはユニークなＨＮＰが割り当てられるものとし、ＵＥ用ＩＰｖ６アドレスを生成するために使用される。
【００５４】
パケット送受信部１２０は、具体的なデータ（パケット）を送受信する機能部である。上位層から受け取ったデータを、パケットとして分解し送信する。また、受信したパケットを上位層に渡す機能を実現する。
【００５５】
ＰＭＩＰ処理部１６０は、ＰＧＷ１０とＳＧＷ２０との間で用いられる転送路（ＰＭＩＰトンネルと呼ぶ）を確立するための機能部である。
【００５６】
［１．２．２  ＳＧＷの構成］
次に、本実施形態におけるＳＧＷ２０の構成について説明する。ＳＧＷ２０は、図４に示すように、制御部２００に、送受信部２１０と、記憶部２５０と、ベアラ確立処理部２７０と、パケット送受信部２２０と、ＰＭＩＰ処理部２６０とがバスを介して接続されている。
【００５７】
制御部２００は、ＳＧＷ２０を制御するための機能部である。制御部２００は、記憶部２５０に記憶されている各種プログラムを読み出して実行することにより各種処理を実現する。
【００５８】
送受信部２１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００５９】
記憶部２５０は、ＳＧＷ２０の各種動作に必要なプログラム、データ等を記憶する機能部である。
【００６０】
ベアラ確立処理部２７０は、ＥＰＳベアラを確立するための処理を実行する機能部である。
【００６１】
パケット送受信部２２０は、具体的なデータ（パケット）を送受信する機能部である。上位層から受け取ったデータを、パケットとして分解し送信する。また、受信したパケットを上位層に渡す機能を実現する。
【００６２】
ＰＭＩＰ処理部２６０は、ＰＭＩＰトンネルをＰＧＷ１０との間で確立するための機能部である。
【００６３】
［１．２．３  ＨＳＳの構成］
次に、本実施形態におけるＨＳＳ３０の構成について説明する。ＨＳＳ３０は、図５に示すように、制御部３００に、送受信部３１０と、記憶部３５０とがバスを介して接続されている。
【００６４】
制御部３００は、ＨＳＳ３０を制御するための機能部である。制御部３００は、記憶部３５０に記憶されている各種プログラムを読み出して実行することにより各処理を実現する。
【００６５】
送受信部３１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００６６】
記憶部３５０は、ＨＳＳ３０の各種動作に必要なプログラム、データ等を記憶する機能部である。さらに記憶部３５０は、加入者情報を保存するサブスクリプションＤＢ（データベース）３５２が記憶されている。
【００６７】
ここで、サブスクリプションＤＢ３５２の一例を図６に示す。サブスクリプションＤＢ３５２は、移動通信システム１で管理しているＵＥについて、そのＵＥ識別子（例えば、ＩＭＳＩ（International Mobile Subscriber Identify：加入者識別情報）等から生成される「ＵＥ１」）と、当該ＵＥがアクセス許可されているホーム基地局６０に割り当てられているＣＳＧＩＤ（例えば、「ＣＳＧＩＤ２」）と、そのホーム基地局６０が提供するローカルＩＰアクセスに接続するためのＡＰＮ（例えば「ＡＬＩＣＥ’Ｓ＿ＨＯＭＥ」）と、ローカルＩＰアクセスを用いて、どのようなサービス（例えば、「種別１  インターネット接続サービス」及び「種別２  ホームネットワーク接続サービス」）について利用が許可されているかについて「許可」又は「不許可」が記憶されている。
【００６８】
また、ホーム基地局６０の所有者或いは移動通信システム１の運用事業者は、サブスクリプションＤＢ３５２にアクセスすることができ、所有するホーム基地局６０に割り当てられたＡＰＮ毎に、どのＵＥに、どのようなアクセス権限情報を付与するかを設定及び変更できるものとする。
【００６９】
制御部３００は、ＭＭＥ４０からの要求に応じて、記憶部３５０が保持するサブスクリプションＤＢ３５２の情報提供を行う。
【００７０】
［１．２．４  ＭＭＥの構成］
次に、本実施形態におけるＭＭＥ４０の構成について説明する。図７に示すように、制御部４００に、送受信部４１０と、記憶部４５０とがバスを介して接続されている。
【００７１】
制御部４００は、ＭＭＥ４０を制御するための機能部である。制御部４００は、記憶部４５０に記憶されている各種プログラムを読み出して実行することにより各種処理を実現する。
【００７２】
送受信部４１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００７３】
記憶部４５０は、ＭＭＥ４０の各種動作に必要なプログラム、データ等を記憶する機能部である。さらに、記憶部４５０は、加入者情報を一時的に保存するサブスクリプションＤＢ４５２と、ＡＰＮ−ＩＰアドレス変換ＤＢ４５４とが記憶されている。
【００７４】
図８は、サブスクリプションＤＢ４５２の一例を示した図である。データベースの構造は、図６に示されたＨＳＳ３０が保持するサブスクリプションＤＢ３５２と同じであるが、当該ＭＭＥ４０が管理対象としているＵＥについてのみ情報が一時保持される。
【００７５】
図９は、ＡＰＮ−ＩＰアドレス変換ＤＢ４５４の一例を示した図である。図９に示されたように、ＡＰＮ（例えば、「ＷＥＢ」）と、ＰＧＷ１０及びＳＧＷ２０のＩＰアドレス（例えば、「２００１：２００：１：：１」と「２００１：２００：２：：１」）との変換テーブルを保持するデータベースである。ホーム基地局６０のように、ＰＧＷ１０とＳＧＷ２０とが同一装置で構成される場合には、同一ＩＰアドレスが登録される。
【００７６】
［１．２．５  ＧＷの構成］
次に、本実施形態におけるＧＷ５０の構成について説明する。図１０に示すように、制御部５００に、送受信部５１０と、パケット送受信部５２０と、記憶部５５０とがバスを介して接続されている。
【００７７】
ここで、ＭＭＥ４０とホーム基地局６０間及びＳＧＷ２０とホーム基地局６０間の通信は、ＧＷ５０を介して行われる。
【００７８】
制御部５００は、ＧＷ５０を制御するための機能部である。制御部５００は、記憶部５５０に記憶されている各種プログラムを読み出して実行することにより各種処理を実現する。
【００７９】
送受信部５１０は、ルータもしくはスイッチに有線接続され、パケットの送受信を行う機能部である。例えば、ネットワークの接続方式として一般的に利用されているＥｔｈｅｒｎｅｔ（登録商標）等により送受信する。
【００８０】
パケット送受信部５２０は、具体的なデータ（パケット）を送受信する機能部である。上位層から受け取ったデータを、パケットとして分解し送信する。また、受信したパケットを上位層に渡す機能を実現する。記憶部５５０は、ＧＷの各種動作に必要なプログラム、データ等を記憶する機能部である。
【００８１】
［１．２．６  ホーム基地局の構成］
次に、本実施形態におけるホーム基地局６０の構成について、説明する。図１１はホーム基地局６０の構成を説明した図であり、制御部６００に、Ｌ−ＰＧＷ部６１０と、Ｌ−ＳＧＷ部６２０と、ＬＴＥ基地局部６３０と、記憶部６５０と、ホームネットワークインタフェース部６６０と、ブロードバンドアクセスネットワーク用インタフェース部６７０とがバスを介して接続されている。
【００８２】
制御部６００は、ホーム基地局６０を制御するための機能部である。制御部６００は、記憶部６５０に記憶されている各種プログラムを読み出して実行することにより処理を実現する。
【００８３】
Ｌ−ＰＧＷ部６１０は、前述のＰＧＷ１０と同様に構成され、Ｌ−ＳＧＷ部６２０との間でＰＭＩＰトンネルを確立する。さらに図１２に示すようなバインディング情報６１２を保持する。ここで、バインディング情報６１２は、ＵＥ７０のＩＰアドレスプレフィックスと、Ｌ−ＳＧＷ部６２０への伝送路とを関連付けて記録している。
【００８４】
Ｌ−ＳＧＷ部６２０は、前述のＳＧＷ２０と同様に構成され、Ｌ−ＰＧＷ部６１０との間でＰＭＩＰトンネルを確立する。
【００８５】
ＬＴＥ基地局部６３０は、ＬＴＥの基地局として機能し、ＵＥ７０を収容するための機能部である。また、ＬＴＥ基地局部６３０には、外部アンテナ６３５が接続されている。
【００８６】
記憶部６５０は、ホーム基地局６０の各種動作に必要なプログラム、データ等を記憶する機能部である。さらに記憶部６５０は、パケットフィルタリング情報６５２と、ＩＰアドレスプール６５４とが記憶されている。
【００８７】
図１３は、パケットフィルタリング情報６５２の一例を示した表であり、ホーム基地局６０がローカルＩＰアクセス機能を提供した場合に、提供するサービス種別（例えば、「種別１：インターネット接続」等）毎に、ホーム基地局６０によるパケット転送の可否を定めるルールが記憶されている。
【００８８】
例えば、ホームネットワークに接続する情報端末８０に、「２００１：１００：２００：３０００」で始まるＩＰｖ６アドレスが割り当てられていたケースを想定する。
【００８９】
そして、種別１の場合であれば、まず全てのパケット転送を許可（「ａｌｌｏｗ  ａｌｌ」）にしたのち、パケットの宛先或いは送信元ＩＰｖ６アドレスが「２００１：１００：２００：３０００」で開始されるＩＰｖ６アドレスを含んでいた場合には、当該パケットの転送は許可しない（「ｄｉｓａｌｌｏｗ  ＩＰｖ６＝＝２００１：１００：２００：３０００：：／６４」）。つまり、この種別１に割り当てられたパケットフィルタリングを適用することによって、ＵＥ７０からホームネットワークへの通信及びホームネットワークからのＵＥ７０への通信についてはホーム基地局６０が遮断することになる。
【００９０】
一方、種別２の場合であれば、まず総てのパケット転送を遮断（「ｄｉｓａｌｌｏｗ  ａｌｌ」））した後、パケットの宛先或いは送信元ＩＰｖ６アドレスが「２００１：１００：２００：３０００」で開始されるＩＰｖ６アドレスを含んでいた場合には、当該パケットの転送を許可する（「ａｌｌｏｗ  ＩＰｖ６＝＝２００１：１００：２００：３０００：：／６４」）。これにより、ＵＥ７０とホームネットワーク内の情報端末８０間の通信のみが許可される。
【００９１】
図１４は、ＩＰアドレスプール６５４の一例を示した表であり、ホーム基地局６０がブロードバンドアクセスサービスを提供する事業者から付与されたＩＰアドレスブロック（例えば、「２００１：１００：２００：：／４８」等）を管理する。
【００９２】
そして、ホーム基地局６０は、ローカルＩＰアクセスを利用するＵＥ７０に対して、このＩＰアドレスブロックから割り当てを行うこととし、例えば「２００１：１００：２００：４０００：：／６４」というＩＰｖ６アドレスプレフィックスがＵＥ７０に割り当てられるものとする。なお、このＩＰアドレスブロックに属するＩＰアドレス宛の通信は、ホーム基地局６０にルーティングされるような経路情報がインターネット上に設定されているものとする。
【００９３】
ホームネットワークインタフェース部６６０は、ホームネットワーク内の他装置とパケット送受信を行う機能部である。例えば、ネットワークの接続方式として一般的に利用されているＥｔｈｅｒｎｅｔ（登録商標）等により送受信する。
【００９４】
ブロードバンドアクセスネットワーク用インタフェース部６７０は、ブロードバンドアクセスネットワークとパケット送受信を行う機能部である。例えば、ネットワークの接続方式として一般的に利用されるＡＤＳＬ等により送受信する。
【００９５】
［１．２．７  ＵＥの構成］
次に、本実施形態における移動局であるＵＥ７０の構成について、説明する。ＵＥ７０の具体的な一例としては、無線アクセスインタフェースを介して移動通信システムに接続する携帯端末や、ＰＤＡ等の端末が想定される。図１５に示すように、制御部７００に、ＬＴＥインタフェース部７１０と、パケット送受信部７２０と、記憶部７５０と、ベアラ確立処理部７７０とがバスを介して接続されている。
【００９６】
制御部７００は、ＵＥ７０を制御するための機能部である。制御部は、記憶部７５０に記憶されている各種プログラムを読み出して実行することにより各種処理を実現する。
【００９７】
ＬＴＥインタフェース部７１０は、ＵＥ７０がホーム基地局６０に接続するための機能部である。また、ＬＴＥインタフェース部７１０には、外部アンテナ７１５が接続されている。
【００９８】
パケット送受信部７２０は、具体的なデータ（パケット）を送受信する機能部である。上位層から受け取ったデータを、パケットとして分解し送信する。また、受信したパケットを上位層に渡す機能を実現する。
【００９９】
記憶部７５０は、ＵＥ７０の各種動作に必要なプログラム、データ等を記憶する機能部である。さらに、記憶部７５０には、ＡＰＮリスト７５２が記憶されている。
【０１００】
ＡＰＮリスト７５２は、インターネット接続を行う際にＵＥ７０が利用候補とするＡＰＮを記憶する。図１６はＡＰＮリスト７５２のデータ構成の一例である。図１６に示すように、ＡＰＮリスト７５２には、ＵＥ７０が利用候補とするＡＰＮがリスト管理されている。
【０１０１】
また、ローカルＩＰアクセス用ＡＰＮの場合には、そのＡＰＮが割り当てられているホーム基地局６０のＣＳＧＩＤと併せて管理する。なお、ホーム基地局６０に割り当てられたＡＰＮは、あらかじめホーム基地局６０の所有者或いは移動通信事業者から取得する。取得する手段としては、例えば、オフラインで通知を受け、ＵＥ７０にあらかじめ設定したり、ホーム基地局６０に接続した際にＳＭＳ（Short Message Service）等で通知され、自動登録されたりする等の手段があるが、それに限らず他の手段を用いてもよい。
【０１０２】
ベアラ確立処理部７７０は、ホーム基地局６０内のＬ−ＳＧＷ部６２０又はコアネットワーク内のＳＧＷ２０との通信路であるＥＰＳベアラを確立するための処理を実行する機能部である。
【０１０３】
［１．２．８  情報端末の構成］
次に、本実施形態における情報端末８０の構成について説明する。情報端末８０は、図１７に示すように、制御部８００に、ホームネットワークインタフェース部８１０と、記憶部８５０とがバスを介して接続されている。
【０１０４】
制御部８００は、情報端末８０を制御するための機能部である。制御部８００は、記憶部８５０に記憶されている各種プログラムを読み出して実行することにより各種処理を実現する。
【０１０５】
ホームネットワークインタフェース部８１０は、ホームネットワーク内の他装置とパケット送受信を行う機能部である。例えば、ネットワークの接続方式として一般的に利用されているＥｔｈｅｒｎｅｔ（登録商標）等により送受信する。
【０１０６】
記憶部８５０は、情報端末８０の各種動作に必要なプログラム、データ等を記憶する機能部である。
【０１０７】
［１．３  処理の説明］
次に、図１に示す移動通信システム１において、ＵＥ７０がホーム基地局６０を介してコアネットワーク及びローカルＩＰアクセスを利用するための手続きについて、図を用いて説明する。
【０１０８】
［１．３．１ホーム基地局の登録処理］
まず、ホーム基地局６０の移動通信システム１への登録手続きについて、図１８を用いて説明する。
【０１０９】
ホーム基地局６０は、Ｓ１設定要求をＭＭＥ４０に送信する（Ｓ１００）。ここで、Ｓ１設定要求とは、ホーム基地局６０のＬＴＥ基地局部６３０と、ＭＭＥ４０間の通信経路を確立し、ホーム基地局６０を移動通信システム１の基地局として動作させるために行わるもので、ホーム基地局６０に割り当てられたＣＳＧＩＤが含まれる。そしてＭＭＥ４０は、Ｓ１設定応答を送信する（Ｓ１０２）。
【０１１０】
次に、従来と異なり、ホーム基地局６０は、ローカルＩＰアクセス登録要求をＭＭＥ４０に送信し、ローカルＩＰアクセス機能を提供するホーム基地局としての登録をＭＭＥ４０に要求する（Ｓ１０４）。ローカルＩＰアクセス登録要求には、ホーム基地局６０に割り当てられたＣＳＧＩＤと、ローカルＩＰアクセス用ＡＰＮ（「ＢＯＢ’Ｓ＿ＨＯＭＥ」）と、Ｌ−ＰＧＷ部６１０のＩＰアドレスと、Ｌ−ＳＧＷ部６２０とのＩＰアドレスとが含まれている。
【０１１１】
ＭＭＥ４０は、取得したＡＰＮと、Ｌ−ＰＧＷ部６１０のＩＰアドレスと、Ｌ−ＳＧＷ部６２０のＩＰアドレスとに基づいて、ＡＰＮ−ＩＰアドレス変換ＤＢ４５４を更新する（Ｓ１０６）。具体的には、図９から図１９の状態にデータベースが更新される。そして、当該ローカルＩＰアクセス用ＡＰＮと、そのＡＰＮが割り当てられているＬ−ＰＧＷ部６１０と、Ｌ−ＳＧＷ部６２０とのＩＰアドレスとを関連付けて記憶する。そして、ＭＭＥ４０は、ローカルＩＰアクセス登録許可をホーム基地局６０に送信する（Ｓ１０８）。以上で、ホーム基地局６０の登録処理を完了する。
【０１１２】
［１．３．２  ホーム基地局へのＵＥアタッチ処理］
次に、ＵＥ７０がホーム基地局６０を介してコアネットワークに接続し、ＡＰＮが「ＷＥＢ」で識別される外部ＰＤＮに接続する手続きについて、図２０を用いて説明する。
【０１１３】
まず、ＵＥ７０はホーム基地局６０経由でコアネットワークに接続するために、非特許文献１に規定された従来手法に従って、アタッチ要求をホーム基地局６０に送信する（Ｓ２００）。アタッチ要求内にはＵＥ識別子（ＵＥ１）と、接続先ＰＤＮを識別するＡＰＮ（「ＷＥＢ」）と、ＵＥの保有機能を示すＵＥ  ｃａｐａｂｉｌｉｔｙ等が含まれる。
【０１１４】
ホーム基地局６０は、受信したアタッチ要求に自身のＣＳＧＩＤ（「ＣＳＧＩＤ１」とする）を付加して、ＭＭＥ４０に送信する（Ｓ２０２）。
【０１１５】
ＭＭＥ４０は、従来方法に従って、アタッチ要求に含まれているＵＥ識別子を取り出し、ユーザ認証を行い、さらにＨＳＳ３０にＵＥ７０のサブスクリプションデータを取得するために位置情報更新要求を送信する（Ｓ２０４）。
【０１１６】
ＨＳＳ３０は、図６に示されたサブスクリプションＤＢからＵＥ識別子がＵＥ１に該当する情報のみを抽出し、抽出した情報を位置情報更新応答に含めて、ＭＭＥ４０に送信する（Ｓ２０８）。ここで、従来とは異なり、アクセス権限が付与されているＣＳＧＩＤのリストだけでなく、ローカルＩＰアクセス用ＡＰＮ毎の利用可能サービスも含めて送信する。
【０１１７】
そして、ＭＭＥ４０は、図８に示されたように抽出した情報をＵＥ７０のサブスクリプションＤＢ４５２に記憶する（Ｓ２１０）。
【０１１８】
さらにＭＭＥ４０は、ＵＥ７０が接続しているホーム基地局６０のＣＳＧＩＤ１と、取得したサブスクリプションデータとを照合する（Ｓ２１２）。これにより、ＵＥ７０がホーム基地局６０に接続するアクセス権限を持っているかどうかを確認する（Ｓ２１２）。仮にアクセス権限がない場合には、ＭＭＥ４０はアタッチ拒否をホーム基地局６０経由でＵＥ７０に送信し、アタッチ処理が失敗したものとして、ここでアタッチ処理を終了する。
【０１１９】
アクセス権限があることが確認された場合、ＭＭＥ４０は接続が許可されたＵＥ７０のために、従来方法に従ってＰＤＮコネクション確立処理を行う（Ｓ２１４）。ＰＤＮコネクションとは、ＵＥとＰＤＮの間で確立される論理パスであり、ホーム基地局６０とＳＧＷ２０との間に確立されるＥＰＳベアラと、ＳＧＷ２０とＰＧＷ１０との間に確立されるＰＭＩＰトンネルとから構成される。ＰＤＮコネクション確立処理はＭＭＥ４０と、ＳＧＷ２０と、ＰＧＷ１０との間で行われる。なお、本実施形態では、ＰＭＩＰトンネルが確立される場合を例に述べたが、代わりに、ＳＧＷ２０とＰＧＷ１０の間でＧＴＰ（GPRS Tunneling Protocol）トンネルを確立する方法であってもよい。
【０１２０】
ＰＤＮコネクション確立処理が完了すると、ＰＧＷ１０内のバインディング情報に図３で示されたようにＵＥ７０のＩＰアドレスと伝送路との関連付けがなされ、ＵＥ７０はコアネットワーク経由での通信データの送受信が可能となる。
【０１２１】
具体的には、ＰＧＷ１０が受信したＵＥ７０宛の通信データは、ＰＭＩＰトンネル１及びＥＰＳベアラ１を経由してホーム基地局６０まで転送され、ＵＥ７０に送信される。また、ＵＥ７０からＰＤＮ宛に送信した通信データは、ＥＰＳベアラ１及びＰＭＩＰトンネル１を経由してＰＤＮに転送される。
【０１２２】
以上で、ＵＥ７０のホーム基地局６０へのアタッチ処理が完了する。なお、この時点では、ＵＥ７０は、コアネットワーク経由でのＰＤＮ接続のみが確立しているため、インターネット向けの通信データは、全てコアネットワーク経由で送信される。
【０１２３】
［１．３．３  ローカルＩＰアクセス用のアタッチ処理］
次に、ＵＥ７０はホーム基地局６０を介してローカルＩＰアクセスでの接続を開始する。以下、ローカルＩＰアクセス用のアタッチ処理について図２１を用いて説明する。
【０１２４】
なお、このアタッチ処理を開始する契機は、例えば、ホーム基地局６０経由でのコアネットワークへのアタッチが完了したことを、ＵＥ７０に搭載されたディスプレイ等に表示し、それを起因にユーザが手動で行ってもよいし、あらかじめＵＥ７０に、特定のホーム基地局にアタッチした場合には自動的にローカルＩＰアクセス用のアタッチ処理も自動的に開始するように設定されていてもよいし、それに限らず他の手段を用いてもよいものとする。
【０１２５】
まず、ＵＥ７０は、ホーム基地局６０経由でローカルＩＰアクセスを行うために、ＰＤＮコネクティビティ要求をＭＭＥ４０に送信する（Ｓ３００）。ここで、ローカルＩＰアクセスでの接続を明示するために、接続先ＡＰＮとして、ホーム基地局６０に割り当てられたＡＰＮ（ＢＯＢ’Ｓ＿ＨＯＭＥ）を指定する。
【０１２６】
ＭＭＥ４０は、ＰＤＮコネクティビティ要求を受信し、記憶しているＵＥ７０に対応するサブスクリプションデータを参照し、ローカルＩＰアクセスへのアクセス権限の有無を確認する（Ｓ３０２）。ここで、アクセス権限における判定の処理につき、図２２のフローチャートを用いて説明する。
【０１２７】
まず、ＵＥ７０が接続している接続先のホーム基地局６０のＣＳＧＩＤを抽出する（ステップＳ１０００）。そして、抽出されたホーム基地局６０のＣＳＧＩＤ１が、ＵＥ７０に対応するサブスクリプションデータ内にアクセス許可されているＣＳＧＩＤリストとして含まれているか否か、サブスクリプションＤＢ４５２を参照して確認する（ステップＳ１００２）。ここで、含まれていない場合には（ステップＳ１００２；Ｎｏ）、ＰＤＮコネクティビティ拒否をＵＥ７０に送信し、アタッチ処理を終了する（ステップＳ１０１４）。
【０１２８】
もし、ＵＥ７０に対応するサブスクリプションデータ内にアクセス許可されているＣＳＧＩＤリストとして含まれている場合（ステップＳ１００２；Ｙｅｓ）、当該ＣＳＧＩＤに割り当てられているＡＰＮをサブスクリプションＤＢ４５２から抽出する（ステップＳ１００４）。ここで、抽出されたＡＰＮと、ＰＤＮコネクティビティ要求に含まれているＡＰＮとが同一であるかを確認する（ステップＳ１００６）。ＡＰＮが同一でない場合は（ステップＳ１００６；Ｎｏ）、ＵＥ７０が現在接続しているホーム基地局６０とは異なるホーム基地局６０に割り当てられたＡＰＮへの接続を要求しているため、ＰＤＮコネクティビティ拒否を返信し（ステップＳ１０１４）、アタッチ処理を終了する。
【０１２９】
他方、ＡＰＮが同一である場合は（ステップＳ１００６；Ｙｅｓ）、当該ＡＰＮで利用可能サービスを抽出する（ステップＳ１００８）。ここで、いずれか１つでもアクセス権限が付与されている場合（ステップＳ１０１０；Ｙｅｓ）、次に説明するローカルＩＰアクセス用ＰＭＩＰトンネル確立処理を開始する（ステップＳ１０１２）。なお、いずれのサービス種別についてもアクセス権限が付与されていない場合は（ステップＳ１０１０；Ｎｏ）、ＭＭＥ４０はＰＤＮコネクティビティ拒否をＵＥ７０に送信して（ステップＳ１０１４）、次に述べるホーム基地局６０とのローカルＩＰアクセス用ＰＭＩＰトンネル確立処理を開始せずに、すぐさまアタッチ処理を終了する。この場合は、ＵＥ７０はローカルＩＰアクセスを利用できないものとする。
【０１３０】
［１．３．３．１  ローカルＩＰアクセス用ＰＭＩＰトンネル確立処理］
図２３は、ローカルＩＰアクセス用ＰＭＩＰトンネル確立処理について詳細に示した図である。
【０１３１】
まず、ＭＭＥ４０はベアラ設定要求をＬ−ＳＧＷ部６２０に送信する（Ｓ４００）。ベアラ設定要求には、ＵＥ識別子（ＵＥ１）とＡＰＮとが含まれるが、ここで従来と異なり、利用が許可されているサービス種別を示す情報がＡＰＮに付加されている。例えば、サービス種別毎に以下の３種類の文字列を定める。
【０１３２】
インターネット接続が利用可能な場合：「；ＩＮＴＥＲＮＥＴ」 
ホームネットワーク接続が利用可能な場合：「；ＨＯＭＥＮＥＴＷＯＲＫ」
インターネット接続とホームネットワーク接続とが利用可能な場合：「；ＩＮＴＥＲＮＥＴ＆ＨＯＭＥＮＥＴＷＯＲＫ」
そして、ＭＭＥ４０は保持しているＵＥ７０のサブスクリプションデータをサブスクリプションＤＢ４５２から参照し、例えば、ホームネットワーク接続が許可されている場合には、「；ＨＯＭＥＮＥＴＷＯＲＫ」という文字列を元のＡＰＮ「ＢＯＢ’Ｓ＿ＨＯＭＥ」の後ろに付加し、「ＢＯＢ’Ｓ＿ＨＯＭＥ；ＨＯＭＥＮＥＴＷＯＲＫ」を新しくＡＰＮとして用いる。
【０１３３】
Ｌ−ＳＧＷ部６２０は、ベアラ設定要求を受信し、Ｌ−ＰＧＷ部６１０との間でＰＭＩＰトンネルを確立するためにバインディング更新要求をＬ−ＰＧＷ部６１０に送信する（Ｓ４０２）。バインディング更新要求には、ＵＥ識別子（ＵＥ１）と上記変更したＡＰＮ（「ＢＯＢ’Ｓ＿ＨＯＭＥ；ＨＯＭＥＮＥＴＷＯＲＫ」）とが含まれる。
【０１３４】
Ｌ−ＰＧＷ部６１０は、バインディング更新要求を受信し、まずＵＥ７０にＨＮＰ２を割り当て、図１２に示されたようにバインディング情報を生成する（Ｓ４０４）。なお、割り当てるＨＮＰは、ホーム基地局６０が保持しているＩＰアドレスプールの中から割り当てられるものとし、ここではＨＮＰ２として、「２００１：１００：２００：４０００：：／６４」が割り当てられたとする。
【０１３５】
そして、従来とは異なり、ローカルＩＰアクセス経由で利用が許可されているサービスのサービス種別をＵＥ７０に通知するために、ＰＣＯ（Protocol Configuration Option）内に格納するサービス種別の情報を決定する（Ｓ４０６）。なお、ＰＣＯとは、Ｌ−ＰＧＷ部６１０とＵＥ７０との間でのみやり取りする設定情報を格納できる３ＧＰＰ規定の情報フィールドであり、Ｌ−ＳＧＷ部６２０及びＭＭＥ４０及びＬＴＥ基地局部６３０を経由してＵＥ７０に運ばれる。
【０１３６】
ＰＣＯに含める情報については、具体的には、バインディング更新要求に含まれているＡＰＮに付加されたアクセス権限情報に基づいて、以下のいずれかの情報を含める。
【０１３７】
種別１：インターネット接続が利用可能
種別２：ホームネットワーク接続が利用可能
種別３：インターネット接続と、ホームネットワーク接続が利用可能
例えば、ホームネットワークへの接続が可能であることが判断できる事前に定められた情報（例えば、「；ＨＯＭＥＮＥＴＷＯＲＫ」という文字列）がＡＰＮに含まれていた場合には、ＰＣＯには、「種別２」を格納する。
【０１３８】
さらにＬ−ＰＧＷ部６１０は、Ｌ−ＳＧＷ部６２０との間にＰＭＩＰトンネル２を確立し、ＵＥ７０に割り当てたＨＮＰ２宛の通信データを受信した場合には、ＰＭＩＰトンネル２を介して、Ｌ−ＳＧＷ部６２０に転送するようにルーティング設定する（Ｓ４０８）。また、併せて、アクセス権限情報に基づいて図１３のパケットフィルタリング情報６５２を参照し、次に説明するパケットフィルタリング処理に基づいて各通信データパケットの転送の可否を判断するパケットフィルタ設定を行う（ステップＳ４１０）。
【０１３９】
図２４及び図２５は、そのパケットフィルタリング処理のフローチャートを示したものであり、以下にその処理を説明する。
【０１４０】
まず、Ｌ−ＰＧＷ部６１０は通信データを受信し（ステップＳ２０００）、通信データがＰＭＩＰトンネル経由で受信したものかどうかを判定する（ステップＳ２００２）。
【０１４１】
ここで、通信データがＰＭＩＰトンネル経由の受信である場合（ステップＳ２００２；Ｙｅｓ）、送信元アドレスから、ＵＥのバインディング情報を検索する（ステップＳ２００４）。具体的には、送信元アドレスを抽出して、当該送信アドレスに対応するバインディング情報を検索する。
【０１４２】
続いて、該当ＵＥがあるか否かを判定する（ステップＳ２００６）。具体的には、送信元アドレスのプレフィックス部分（上位６４ビット分）が、バインディング情報６１２に含まれているＵＥのＨＮＰと一致するかにより判定する。
【０１４３】
そして、一致した場合は（ステップＳ２００６；Ｙｅｓ）、更に送信先アドレスを抽出し、ＵＥ７０のアクセス権限情報に基づいてパケットフィルタリング情報を参照する（ステップＳ２００８）。そして、送信先アドレスが許可されているアドレスかどうかを判定する（ステップＳ２０１０）。
【０１４４】
もしステップＳ２００６において、該当するＵＥが見つからなかった場合や（ステップＳ２００６；Ｎｏ）、ステップＳ２０１０において、送信先アドレスが許可されていないアドレスであった場合（ステップＳ２０１０；Ｎｏ）は、受信した通信データを破棄し（ステップＳ２０１８）、処理を終了する。
【０１４５】
また、ステップＳ２０１０において、送信先アドレスが許可されているアドレスであった場合は（ステップＳ２０１０；Ｙｅｓ）、更に送信先アドレスがホームネットワーク向けのアドレスであるかどうかを判定する（ステップＳ２０１２）。ここで、送信先がホームアドレス向けのアドレスであった場合（ステップＳ２０１２；Ｙｅｓ）、ホームネットワークインタフェース部６６０を用いて通信データを送信し（ステップＳ２０１４）、それ以外の場合（ステップＳ２０１２；Ｎｏ）には、ブロードバンドアクセスネットワーク用インタフェース部６７０を用いて通信データを送信する（ステップＳ２０１６）。そして、通信データを送信後、本処理を終了する。
【０１４６】
また、ステップＳ２００２において、ＰＭＩＰトンネルからの受信でなかった場合（ステップＳ２００２；Ｎｏ）、送信先アドレスからＵＥのバインディング情報を検索する（図２５のステップＳ２０５０）。そして、送信先アドレスのプレフィックス部分（上位６４ビット分）が、バインディング情報６１２に含まれているＵＥのＨＮＰと一致するかを判定する（ステップＳ２０５２）。
【０１４７】
ここで、一致した場合（ステップＳ２０５２；Ｙｅｓ）、さらに送信元アドレスを抽出し、当該ＵＥのアクセス権限情報に基づいてパケットフィルタリング情報を参照する（ステップＳ２０５４）。そして、送信元アドレスが許可されているアドレスかどうかを判定する（ステップＳ２０５６）。
【０１４８】
もしステップＳ２０５２において、一致するものが見つからなかった場合（ステップＳ２０５２；Ｎｏ）や、ステップＳ２０５６において許可されていないアドレスであった場合（ステップＳ２０５６；Ｎｏ）には、受信した通信データを破棄し（ステップＳ２０６０）、処理を終了する。
【０１４９】
また、ステップＳ２０５６において、送信元アドレスが許可されているアドレスであった場合（ステップＳ２０５６；Ｙｅｓ）には、ＵＥ７０に割り当てられたＰＭＩＰトンネルを用いて通信データをＬ−ＳＧＷ部６２０に転送し（ステップＳ２０５８）、本処理を終了する。
【０１５０】
パケットフィルタ設定が完了した後、Ｌ−ＰＧＷ部６１０は、バインディング更新応答をＬ−ＳＧＷ部６２０に返信する（Ｓ４１２）。メッセージ内には割り当てたＨＮＰと、アクセス権限情報の種別を格納したＰＣＯとが含まれる。
【０１５１】
そして、バインディング更新応答を受信したＬ−ＳＧＷ部６２０は、ベアラ設定応答をＭＭＥ４０に送信する（Ｓ４１４）。ここで、ベアラ設定応答には前記サービス種別を設定したＰＣＯとＨＮＰが含まれる。
【０１５２】
以上の手続きにより、ローカルＩＰアクセス用ＰＭＩＰトンネル確立手続きが完了し、ＰＭＩＰトンネル２の確立が完了、アクセス権限情報に基づいて許可された通信データのみが転送されるようになる。
【０１５３】
［１．３．３．２  ＥＰＳベアラ確立処理］
以下、再び図２１に戻り、次の処理の説明を進める。
【０１５４】
まず、ベアラ設定応答を受信したＭＭＥ４０は、ＬＴＥ基地局部６３０経由でＵＥにＰＤＮコネクティビティ許可を送信する（Ｓ３０４）。ＰＤＮコネクティビティ許可にはＡＰＮとＰＣＯとが含まれている。
【０１５５】
ＵＥ７０は、ＰＤＮコネクティビティ許可を受信する。そして、接続先ホーム基地局６０に設定されているアクセス権限情報をＰＣＯから取得する。また、ＲＲＣコネクション再設定完了をＬＴＥ基地局部６３０に送信する（Ｓ３０６）。
【０１５６】
ＬＴＥ基地局部６３０は、ベアラ設定応答をＭＭＥ４０に送信する（Ｓ３０８）。ＭＭＥ４０はベアラ設定応答を受信し、ホーム基地局６０のＩＰアドレスを含んだベアラ更新要求をＬ−ＳＧＷ部６２０へ送信する（Ｓ３１０）。
【０１５７】
Ｌ−ＳＧＷ部６２０は、ベアラ更新応答をＭＭＥ４０に返信するとともに（Ｓ３１２）、ホーム基地局６０のＩＰアドレスを取得し、ＥＰＳベアラ２を確立する。
【０１５８】
そして、Ｌ−ＳＧＷ部６２０は、ローカルＩＰアクセス用ＰＭＩＰトンネル確立処理で取得したＨＮＰを格納したルータ広告をＵＥ７０に送信する（Ｓ３１４）。
【０１５９】
ＵＥ７０は受信したルータ広告からＨＮＰを取り出し、ＨＮＰを用いて自身のＩＰｖ６アドレスを生成し、ローカルＩＰアクセス向けの通信データの送受信が可能な状態になる。
【０１６０】
以上により、ＵＥ７０は、コアネットワーク経由のＰＤＮコネクション（Ｓ３１６）と、ローカルＩＰアクセス経由でのＰＤＮコネクション（Ｓ３１８）とを同時確立する。
【０１６１】
［１．３．４  ＵＥの通信データの送受信処理］
ＵＥ７０がＷＥＢブラウザ等のアプリケーションでインターネット接続する場合には、図２６に示された手続きに従って、確立した２つのＰＤＮコネクションから１つのＰＤＮコネクションを選択し、通信データの送受信を行う。
【０１６２】
まず、ＰＤＮコネクティビティ許可で取得したＰＣＯ内に含まれているローカルＩＰアクセスのアクセス権限情報を抽出する（ステップＳ３０００）。
【０１６３】
そして、ステップＳ３０００にて抽出されたアクセス権限情報に基づき、種別が１又は３である場合、すなわちローカルＩＰアクセス経由でのインターネット接続サービスが利用可能である場合には（ステップＳ３００２；Ｙｅｓ）、ローカルＩＰアクセス経由のＰＤＮコネクション（ＥＰＳベアラ２及びＰＭＩＰトンネル２で構成される）を選択し、データを送信する（ステップＳ３００４）。
【０１６４】
また、種別が２の場合、すなわちローカルＩＰアクセス経由でのインターネット接続サービスが利用できない（種別２が含まれている）場合（ステップＳ３００２；Ｎｏ）には、コアネットワーク経由のＰＤＮコネクション（ＥＰＳベアラ１及びＰＭＩＰトンネル２で構成される）を選択し、データを送信する（ステップＳ３００６）。
【０１６５】
そして、選択したＰＤＮコネクションを用いて、ＵＥ７０の通信データは転送され、外部ＰＤＮに送出される。また、外部ＰＤＮからＵＥ７０への通信データについても同様の経路を通ってＵＥ７０に届けられる。
【０１６６】
また、ＵＥ７０がアクセス権限情報に従わずに、ローカルＩＰアクセス経由でのインターネット接続サービスが利用不可能であるにもかかわらず、ローカルＩＰアクセス経由でのＰＤＮコネクションを用いてインターネット向けに通信データを送信した場合には、前述のＬ−ＰＧＷ部６１０におけるパケットフィルタリング処理によって通信データは破棄される。
【０１６７】
なお、ＵＥ７０がホームネットワーク向けに通信データを送信する場合には、ローカルＩＰアクセス経由でのＰＤＮコネクションを用いて行い、Ｌ−ＰＧＷ部６１０はパケットフィルタリング処理によって転送の可否を判断する。
【０１６８】
このように、本実施形態では、ホーム基地局のローカルＩＰアクセス機能を用いたサービスについて、ホーム基地局所有者及び移動通信事業者がサービス毎のアクセス権限をＵＥ毎に設定でき、多様なホーム基地局の利用シナリオが実現できる。
【０１６９】
また、ホーム基地局は、ＵＥにアクセス権限が付与されているサービス種別に準じてパケットフィルタリングすることができ、仮に、ローカルＩＰアクセス経由でのインターネット接続サービスの利用が許可されていないＵＥが、誤って或いは意図的に、インターネット向けの通信データを送信したとしても、ホーム基地局は当該通信データを検出し、破棄できる。また、逆方向の通信データについてもアクセス権限に応じたパケットフィルタリングが適用される。
【０１７０】
さらに、ホーム基地局がローカルＩＰアクセスを使用したインターネット接続サービスが利用可能であるかどうかをＵＥに通知するため、ＵＥは、コアネットワーク経由でのインターネット接続を試みるべきか、ローカルＩＰアクセス経由でのインターネット接続を試みるべきかを適切に判断することができる。
【０１７１】
さらに、このＵＥに通知されるローカルＩＰアクセスのアクセス権限情報は、ホーム基地局のＬ−ＰＧＷ部がＰＣＯに含めてＵＥに通知する。このようにすることによって、ＵＥへのアクセス権限情報の通知について、Ｌ−ＰＧＷ部とＵＥ以外の装置に一切の拡張を要しない。
【０１７２】
さらに、ＭＭＥがＡＰＮに特殊な文字列を付加することによって、ローカルＩＰアクセスについてのアクセス権限をホーム基地局に通知し、その権限に従ってＵＥのアクセス制御がなされる。このようにすることによって、ホーム基地局では、ＵＥ別のアクセス権限情報を保持する必要がないだけでなく、非特許文献１で規定されるベアラ設定要求に新たに情報要素を追加することなくアクセス権限情報を通知できる。
【０１７３】
また、ＵＥ毎に接続可能なローカルＩＰアクセス用ＡＰＮとアクセス権限情報とが加入者情報管理装置内に一元管理され、その情報がホーム基地局でのアクセス制御に用いられる。このようにすることによって、ホーム基地局所有者及び移動通信事業者によるアクセス権限情報の設定及び管理が容易となる。
【０１７４】
なお、本実施形態では、Ｌ−ＰＧＷ部６１０とＬ−ＳＧＷ部６２０との間でバインディング更新要求とバインディング更新応答を用いてＰＭＩＰトンネルを確立することを例にして述べたが、これに限らず、代わりにベアラ確立要求とベアラ確立応答とを用いてＧＴＰトンネルを確立することによってＰＭＩＰトンネルと同等の伝送路を確立する方法であってもよい。
【０１７５】
また、本実施形態では、ホーム基地局６０内のＬ−ＰＧＷ部６１０と、Ｌ−ＳＧＷ部６２０とが異なる機能部として構成される場合を例にして述べたが、これに限らず、Ｌ−ＰＧＷ部６１０と、Ｌ−ＳＧＷ部６２０とが１つの統合された機能部として構成されてもよい。その場合には、Ｌ−ＰＧＷ部６１０と、Ｌ−ＳＧＷ部６２０との間で送受信される制御メッセージ（バインディング更新要求及びバインディング更新応答）は、機能部内に閉じた処理となる。
【０１７６】
また、本実施形態では、ホーム基地局６０がブロードバンドアクセスネットワークへのゲートウェイとしての構成要素も含む場合を例にして述べたが、これに限らず、ホーム基地局６０のブロードバンドアクセスネットワーク用インタフェース部６７０と、ホームネットワークインタフェース部６６０とのみを独立した装置（以下、ホームゲートウェイと呼ぶ）として構成し、ホーム基地局６０には、制御部６００に、Ｌ−ＰＧＷ部６１０と、Ｌ−ＳＧＷ部６２０と、ＬＴＥ基地局部６３０と、記憶部６５０と、ホームネットワークインタフェース部６６０とをバスを介して接続される構成にしてもよい。その場合には、ホーム基地局６０とホームゲートウェイと情報端末８０とがホームネットワークインタフェースを介して相互に接続されることとなる。
【０１７７】
さらに、本実施形態では、ＩＰｖ６を用いてＵＥが通信を行う場合を例にして述べたが、ＩＰｖ４アドレスの場合でも同様の手続きで行うことができる。ただし、ＩＰｖ４はグローバルアドレスが枯渇しており、ブロードバンドアクセスサービスを提供する事業者が多数のＩＰｖ４アドレスブロックを個々のホーム基地局に割り当てることが困難な場合が想定される。その場合には、ローカルＩＰアクセス経由でのインターネット接続の際には、ＮＡＴ（Ｎｅｔｗｏｒｋ  Ａｄｄｒｅｓｓ  Ｔｒａｎｓｌａｔｉｏｎ）によるアドレス変換の利用を前提とし、まず、１９２．１６８．０．０／１６といったプライベートアドレス空間をホーム基地局内のＩＰアドレスプールに管理し、ホーム基地局に接続している個々のＵＥには、例えば「１９２．１６８．１．１／ネットマスク２５５．２５５．２５５．０」、「１９２．１６８．２．１／ネットマスク２５５．２５５．２５５．０」、「１９２．１６８．ｎ．１／ネットマスク２５５．２５５．２５５．０」（ｎは３から２５５まで）といった順番にサブネットの異なるＩＰｖ４アドレスを割り当ててもよい。
【０１７８】
さらに、本実施形態では、ＭＭＥ４０がＡＰＮ−ＩＰアドレス変換ＤＢ４５４を記憶している場合を例にして述べたが、データベース部分を独立した装置として設置し、ＡＰＮからＩＰアドレスへの変換については、ＭＭＥ４０が当該データベース装置に問い合わせを行う構成であってもよい。また、冗長設計のために移動通信システム１に複数のＭＭＥ４０が設置されている場合には、それぞれのＭＭＥ４０が当該データベース装置への問い合わせを行う構成であってもよい。
【０１７９】
さらに、本実施形態では、ホーム基地局６０は、ＧＷ５０を経由してＳＧＷ２０及びＭＭＥ４０と接続される場合を例にして述べたが、これに限らず、ホーム基地局６０がＳＧＷ２０及びＭＭＥ４０と直接接続される構成であってもよい。
【０１８０】
［２．第２実施形態］
続いて、本発明の第２実施形態について説明する。本実施形態は、ホーム基地局６０の構成を除いて、ネットワーク構成及び装置構成は第１実施形態と同様であり、ホーム基地局６０の構成以外の詳細説明は省略する。
【０１８１】
［２．１  装置構成］
まず、各装置構成について図を用いて簡単に説明する。
【０１８２】
［２．２  ホーム基地局］
本実施形態におけるホーム基地局６２の構成について、説明する。図２７は、ホーム基地局６２の構成の一例を示した図であり、第１実施形態におけるホーム基地局６０の構成とは、記憶部６５８（６５０）にアクセス権限情報６５６を記録している点が異なる。
【０１８３】
図２８は、アクセス権限情報６５６の一例を示した図であり、ホーム基地局６２に接続してくるＵＥ毎に、そのＵＥ識別子（例えば、「ＵＥ１」）と、利用可能なサービス（例えば、「種別１：インターネット接続は不許可」、「種別２：ホームネットワーク接続は許可」、等）を示している。
【０１８４】
また、ホーム基地局６２の所有者は、このアクセス権限情報６５６を変更することができ、例えば新たに別のＵＥの情報を追記したり、特定ＵＥの利用可能サービスを変更したりすることができるものとする。
【０１８５】
ただし、追記及び変更を行った場合には、図６に示されたＨＳＳ３０のサブスクリプションＤＢ３５２に記されている情報と同期するものとする。情報同期の手段としては、例えば、アクセス権限情報に変更が生じた場合には、ホーム基地局６２がＨＳＳ３０に通知を行ってもよいし、まずＨＳＳ３０のサブスクリプションＤＢ３５２の変更を行い、ＨＳＳ３０からホーム基地局６２に通知を行ってもよい。
【０１８６】
他の構成については、図１１に記載の第１実施形態のホーム基地局６０と同様であり、詳細説明は省略する。
【０１８７】
［２．３  処理の説明］
まず、第１実施形態と同様にホーム基地局６２は、移動通信システム１への登録手続きを行う。さらにＵＥ７０はホーム基地局６２経由でのアタッチ処理を行う。本登録手続きと、本アタッチ処理とは第１実施形態と同様であるため説明を省略する。
【０１８８】
さらに続けてＵＥ７０は、ホーム基地局６２経由でのローカルＩＰアクセス用アタッチ処理を行う。ここで、第１実施形態と異なるのは、ローカルＩＰアクセス用ＰＭＩＰトンネル確立処理である。以下、本実施形態のローカルＩＰアクセス用ＰＭＩＰトンネル確立処理について説明する。
【０１８９】
［２．３．１  ローカルＩＰアクセス用ＰＭＩＰトンネル確立処理（第２処理例）］
図２９は、ローカルＩＰアクセス用ＰＭＩＰトンネル確立処理を示したものである。
【０１９０】
まず、ＭＭＥ４０はベアラ設定要求をＬ−ＳＧＷ部６２０に送信する（Ｓ５００）。ベアラ設定要求には、ＵＥ識別子（ＵＥ１）と、ＡＰＮ（ＢＯＢ’Ｓ＿ＨＯＭＥ）とが含まれ、第１実施形態と異なり、ＡＰＮにはサービス種別を示す情報は付加されないものとする。
【０１９１】
Ｌ−ＳＧＷ部６２０は、ベアラ設定要求を受信し、Ｌ−ＰＧＷ部６１０との間でＰＭＩＰトンネルを確立するためにバインディング更新要求をＬ−ＰＧＷ部６１０に送信する（Ｓ５０２）。バインディング更新要求には、ＵＥ識別子（ＵＥ１）とＡＰＮ（ＢＯＢ’Ｓ＿ＨＯＭＥ）とが含まれる。
【０１９２】
Ｌ−ＰＧＷ部６１０はバインディング更新要求を受信し、第１の実施形態と同様に、まずＵＥへのＨＮＰ割り当て、図１２に示されたようにバインディング情報を生成する（Ｓ５０４）。
【０１９３】
また、ＰＣＯについても同様に処理する（Ｓ５０６）。しかし、ＰＣＯに格納するアクセス権限情報を判断する際に、ＡＰＮに付加された情報に基づき判断するのではなく、ホーム基地局６２自身が保有するアクセス権限情報６５６を参照する。
【０１９４】
つまり、アドレス権限情報６５６に従って、当該ＵＥに、インターネット接続のみが利用許可されている場合には「種別１」を、ホームネットワーク接続のみが利用許可されている場合には「種別２」を、そのどちらの接続も利用許可されている場合には「種別３」を格納する。
【０１９５】
さらにＬ−ＰＧＷ部６１０は、Ｌ−ＳＧＷ部６２０との間にＰＭＩＰトンネル２を確立し、ＵＥ７０に割り当てたＨＮＰ宛の通信データを受信した場合には、ＰＭＩＰトンネル２を介して、Ｌ−ＳＧＷ部６２０に転送するようにルーティング設定を行う（Ｓ５０８）。また、パケットフィルタリング情報に基づいて、各通信データの転送の可否を判断するパケットフィルタ設定を行う（Ｓ５１０）。
【０１９６】
パケットフィルタリング処理についても、第１実施形態における処理と同様であるが、ＡＰＮに付加されたアクセス権限情報に基づいて行うのではなく、ホーム基地局６２に記憶されているアクセス権限情報６５６に基づいて行う点が異なる。
【０１９７】
Ｌ−ＰＧＷ部６１０は、バインディング更新応答をＬ−ＳＧＷ部６２０に送信する（Ｓ５１２）。メッセージ内には割り当てたＨＮＰと、アクセス権限情報の種別を格納したＰＣＯとが含まれる。
【０１９８】
そして、バインディング更新応答を受信したＬ−ＳＧＷ部６２０は、ベアラ設定応答をＭＭＥ４０に送信する（Ｓ５１４）。ベアラ設定応答には前記サービス種別を設定したＰＣＯとＨＮＰが含まれる。
【０１９９】
以上の手続きにより、ローカルＩＰアクセス用ＰＭＩＰトンネル確立手続きが完了し、ＰＭＩＰトンネル２の確立が完了、アクセス権限情報に基づいて許可された通信データのみが転送されるようになる。
【０２００】
なお、その後の処理は、第１の実施形態における処理と同じ処理を行うので、説明を省略する。
【０２０１】
このように、第２の実施形態では、ＨＳＳと同様にホーム基地局にもＵＥ別のアクセス権限情報を保持することにより、ＭＭＥがベアラ設定要求をＬ−ＳＧＷに送信する際に、ＡＰＮにアクセス権限情報を付加するという追加処理が不必要となり、ＭＭＥへの機能追加を最小限に抑えることができる。
【０２０２】
なお、本発明の第１実施形態及び第２実施形態では、ホーム基地局６０及びホーム基地局６２の移動通信システム１への登録手続きについて、図１８に示されたように、ホーム基地局は、ローカルＩＰアクセス登録要求をＭＭＥ４０に送信し、ローカルＩＰアクセス機能を提供するホーム基地局としての登録をＭＭＥ４０に要求する場合を例にして述べた。
【０２０３】
しかし、これに限らず、図３０に示されたように、Ｓ１設定要求に拡張を施し、ＣＳＧＩＤだけでなく、新たにローカルＩＰアクセス用ＡＰＮ（「ＢＯＢ’Ｓ＿ＨＯＭＥ」）と、Ｌ−ＰＧＷ部６１０のＩＰアドレスと、Ｌ−ＳＧＷ部６２０とのＩＰアドレスとを含めて送信する（Ｓ６００）ことにより、ＡＰＮ−ＩＰアドレス変換ＤＢ４５４を更新する（Ｓ６０６）構成にしてもよい。この場合、ＡＰＮ−ＩＰアドレス変換ＤＢ４５４を更新後、Ｓ１設定応答を送信する（Ｓ６０２）。
【０２０４】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【０２０５】
１  移動通信システム
１０  ＰＧＷ
１００  制御部
１１０  送受信部
１２０  パケット送受信部
１５０  記憶部
１５２  バインディング情報
１６０  ＰＭＩＰ処理部
２０  ＳＧＷ
２００  制御部
２１０  送受信部
２２０  パケット送受信部
２５０  記憶部
２６０  ＰＭＩＰ処理部
２７０  ベアラ確立処理部
３０  ＨＳＳ
３００  制御部
３１０  送受信部
３５０  記憶部
３５２  サブスクリプションＤＢ
４０  ＭＭＥ
４００  制御部
４１０  送受信部
４５０  記憶部
４５２  サブスクリプションＤＢ
４５４  ＡＰＮ−ＩＰアドレス変換ＤＢ
５０  ＧＷ
５００  制御部
５１０  送受信部
５２０  パケット送受信部
５５０  記憶部
６０、６２  ホーム基地局
６００  制御部
６１０  Ｌ−ＰＧＷ部
６１２  バインディング情報
６２０  Ｌ−ＳＧＷ部
６３０  ＬＴＥ基地局部
６３５  外部アンテナ
６５０、６５８  記憶部
６５２  パケットフィルタリング情報
６５４  ＩＰアドレスプール
６５６  アクセス権限情報
６６０  ホームネットワークインタフェース部
６７０  ブロードバンドアクセスネットワーク用インタフェース部
７０  ＵＥ
７００  制御部
７１０  ＬＴＥインタフェース部
７１５  外部アンテナ
７２０  パケット送受信部
７５０  記憶部
７５２  ＡＰＮリスト
７７０  ベアラ確立処理部
８０  情報端末
８００  制御部
８１０  ホームネットワークインタフェース部
８５０  記憶部
【図１】
2010150734.tif 000003
【図２】
2010150734.tif 000004
【図３】
2010150734.tif 000005
【図４】
2010150734.tif 000006
【図５】
2010150734.tif 000007
【図６】
2010150734.tif 000008
【図７】
2010150734.tif 000009
【図８】
2010150734.tif 000010
【図９】
2010150734.tif 000011
【図１０】
2010150734.tif 000012
【図１１】
2010150734.tif 000013
【図１２】
2010150734.tif 000014
【図１３】
2010150734.tif 000015
【図１４】
2010150734.tif 000016
【図１５】
2010150734.tif 000017
【図１６】
2010150734.tif 000018
【図１７】
2010150734.tif 000019
【図１８】
2010150734.tif 000020
【図１９】
2010150734.tif 000021
【図２０】
2010150734.tif 000022
【図２１】
2010150734.tif 000023
【図２２】
2010150734.tif 000024
【図２３】
2010150734.tif 000025
【図２４】
2010150734.tif 000026
【図２５】
2010150734.tif 000027
【図２６】
2010150734.tif 000028
【図２７】
2010150734.tif 000029
【図２８】
2010150734.tif 000030
【図２９】
2010150734.tif 000031
【図３０】
2010150734.tif 000032
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける移動局であって、
前記ホームネットワークに含まれるアクセス制御装置との間の、ホームネットワークに接続するローカルＩＰアクセス（ＬＩＰＡ）のためのＰＤＮコネクションを確立するために、
前記位置管理装置に対して、ホームネットワークに接続するローカルＩＰアクセスが許可されているＡＰＮを含むＰＤＮコネクティビティ要求を送信することを特徴とする移動局。
【請求項２】
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする請求項１に記載の移動局。
【請求項３】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける位置管理装置であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていることを確認し、
前記移動局と前記ホームネットワークに含まれるアクセス制御装置との間の、ホームネットワークに接続するローカルＩＰアクセスのためのＰＤＮコネクションの確立を許可するか否かを決定することを特徴とする位置管理装置。
【請求項４】
前記加入者情報管理装置は、サブスクリプションデータにＣＳＧ  ＩＤのリストを記憶しており、
前記加入者情報管理装置から取得したＣＳＧ  ＩＤのリストも用いて、
前記ＰＤＮコネクションの確立を許可するか否かを決定することを特徴とする請求項３に記載の位置管理装置。
【請求項５】
前記ＰＤＮコネクションの確立を許可する場合に、
前記ＰＤＮコネクションを確立させるために、
ＰＤＮコネクティビティ許可を移動局に送信することを特徴とする請求項３又は４に記載の位置管理装置。
【請求項６】
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする請求項３から５の何れか一項に記載の位置管理装置。
【請求項７】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける加入者情報管理装置であって、
位置管理装置が、前記移動局と前記ホームネットワークに含まれるアクセス制御装置との間の、ホームネットワークに接続するローカルＩＰアクセス（ＬＩＰＡ）のためのＰＤＮコネクションの確立を許可するか否かを決定するために、ＡＰＮに対してホームネットワークに接続するローカルＩＰアクセスが許可されているか否かの情報を記憶することを特徴とする加入者情報管理装置。
【請求項８】
前記ＡＰＮに対してホームネットワークに接続するローカルＩＰアクセスが許可されているか否かの情報を、前記位置管理装置に送信することを特徴とする請求項７に記載の加入者情報管理装置。
【請求項９】
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする請求項７又は８に記載の加入者情報管理装置。
【請求項１０】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける位置管理装置であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていないことを確認した場合、
前記移動局と前記ホームネットワークに含まれるアクセス制御装置との間の、ホームネットワークに接続するローカルＩＰアクセスのためのＰＤＮコネクションの確立を許可しないことを特徴とする位置管理装置。
【請求項１１】
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする請求項１０に記載の位置管理装置。
【請求項１２】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記移動局は、
前記ホームネットワークに含まれるアクセス制御装置との間の、ホームネットワークに接続するローカルＩＰアクセス（ＬＩＰＡ）のためのＰＤＮコネクションを確立するために、
前記位置管理装置に対して、ホームネットワークに接続するローカルＩＰアクセスが許可されているＡＰＮを含むＰＤＮコネクティビティ要求を送信することを特徴とする移動通信システム。
【請求項１３】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記加入者情報管理装置は、ＡＰＮに対してホームネットワークに接続するローカルＩＰアクセス（ＬＩＰＡ）が許可されているか否かの情報を記憶しており、
前記位置管理装置は、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていることを確認し、
前記移動局と前記ホームネットワークに含まれるアクセス制御装置との間の、ホームネットワークに接続するローカルＩＰアクセスのためのＰＤＮコネクションの確立を許可するか否かを決定することを特徴とする移動通信システム。
【請求項１４】
前記加入者情報管理装置は、サブスクリプションデータにＣＳＧ  ＩＤのリストを記憶しており、
前記位置管理装置は、
前記加入者情報管理装置から取得したＣＳＧ  ＩＤのリストも用いて、
前記ＰＤＮコネクションの確立を許可するか否かを決定することを特徴とする請求項１３に記載の移動通信システム。
【請求項１５】
前記位置管理装置は、
前記ＰＤＮコネクションの確立を許可する場合に、
前記ＰＤＮコネクションを確立させるために、
ＰＤＮコネクティビティ許可を移動局に送信することを特徴とする請求項１３又は１４に記載の移動通信システム。
【請求項１６】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記加入者情報管理装置は、
前記位置管理装置が、前記移動局と前記ホームネットワークに含まれるアクセス制御装置との間の、ホームネットワークに接続するローカルＩＰアクセス（ＬＩＰＡ）のためのＰＤＮコネクションの確立を許可するか否かを決定するために、ＡＰＮに対してホームネットワークに接続するローカルＩＰアクセスが許可されているか否かの情報を記憶することを特徴とする移動通信システム。
【請求項１７】
前記加入者情報管理装置は、
前記ＡＰＮに対してホームネットワークに接続するローカルＩＰアクセスが許可されているか否かの情報を、前記位置管理装置に送信することを特徴とする請求項１６に記載の移動通信システム。
【請求項１８】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記加入者情報管理装置は、ＡＰＮに対してホームネットワークに接続するローカルＩＰアクセス（ＬＩＰＡ）が許可されているか否かの情報を記憶しており、
前記位置管理装置は、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていないことを確認した場合、
前記移動局と前記ホームネットワークに含まれるアクセス制御装置との間の、ホームネットワークに接続するローカルＩＰアクセスのためのＰＤＮコネクションの確立を許可しないことを特徴とする移動通信システム。
【請求項１９】
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする請求項１２から１８の何れか一項に記載の移動通信システム。
【請求項２０】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおけるホームネットワークに含まれるアクセス制御装置であって、
前記移動局との間の、前記ホームネットワークに接続するローカルＩＰアクセス（ＬＩＰＡ）のためのＰＤＮコネクションを確立する処理を行うことを特徴とするホームネットワークに含まれるアクセス制御装置。
【請求項２１】
移動局（ＵＥ；Ｕｓｅｒ  Ｅｑｕｉｐｍｅｎｔ）と、ホーム基地局と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおけるホーム基地局であって、
前記移動局との間の、前記ホームネットワークに接続するローカルＩＰアクセス（ＬＩＰＡ）のためのＰＤＮコネクションを確立する処理を行うホームネットワークに含まれるアクセス制御装置と、ＬＴＥ基地局とを含んで構成することを特徴とするホーム基地局。
【請求項２２】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムの移動局における通信方法であって、
前記移動局と前記ホームネットワークに含まれるアクセス制御装置との間の、ホームネットワークに接続するローカルＩＰアクセス（ＬＩＰＡ）のためのＰＤＮコネクションを確立するために、
前記位置管理装置に対して、ホームネットワークに接続するローカルＩＰアクセスが許可されているＡＰＮを含むＰＤＮコネクティビティ要求を送信することを特徴とする移動局における通信方法。
【請求項２３】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムの位置管理装置における通信方法であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていることを確認し、
前記移動局と前記ホームネットワークに含まれるアクセス制御装置との間の、ホームネットワークに接続するローカルＩＰアクセスのためのＰＤＮコネクションの確立を許可するか否かを決定することを特徴とする位置管理装置における通信方法。
【請求項２４】
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムの位置管理装置における通信方法であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていないことを確認した場合、
前記移動局と前記ホームネットワークに含まれるアクセス制御装置との間の、ホームネットワークに接続するローカルＩＰアクセスのためのＰＤＮコネクションの確立を許可しないことを特徴とする位置管理装置における通信方法。
【手続補正３】
【補正対象書類名】明細書
【補正対象項目名】０００１
【補正方法】変更
【補正の内容】
【０００１】
技術分野
［０００１］
本発明は、移動通信システム等に関する。
背景技術
［０００２］
移動通信システムの標準化団体３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）では、次世代の移動体通信システムとしてＥＰＳ（Ｅｖｏｌｖｅｄ  Ｐａｃｋｅｔ  Ｓｙｓｔｅｍ）を検討しており、ＥＰＳの構成装置として、宅内等に設置する小型基地局であるＨｅＮＢ（Ｈｏｍｅ  ｅＮｏｄｅＢ）が検討されている（以下、ホーム基地局と呼ぶ）。
［０００３］
ホーム基地局は、フェムトセルと呼ばれる小規模の無線セルを構築し、通常の基地局と同じ無線アクセス技術を用いて、ＵＥ（Ｕｓｅｒ  Ｅｑｕｉｐｍｅｎｔ：移動端末装置）を収容する。そして、ブロードバンド回線を経由して移動通信システムのコアネットワークに接続し、収容しているＵＥの通信データを中継することができる。
［０００４］
ホーム基地局は、ブロードバンド回線をバックホールとして使用し、一般ユーザによる設置が可能となるため、移動通信システムのカバレッジエリア、特に屋内でのカバレッジエリアを容易に広げることができる。また、セル半径が小さく、少ないユーザ数で当該セルを独占できるため、多数のユーザで共有しなくてはならない屋外のマクロセル基地局と比べて通信速度及び周波数利用効率の向上が見込める。
［０００５］
さらに非特許文献２にはローカルＩＰアクセス機能がホーム基地局の機能要件として定められている。ローカルＩＰアクセスとは、家庭内ネットワークといったホーム基地局が直接接続しているネットワーク（以下、「ホームネットワーク」と呼ぶ。）への接続性をＵＥに提供するものであり、例えば
【手続補正４】
【補正対象書類名】明細書
【補正対象項目名】０００６
【補正方法】変更
【補正の内容】
【０００６】
ス権限を設定でき、さらに、設定されたアクセス権限に基づいて通信データの転送がなされるホーム基地局及び上記設定されたアクセス権限に基づき移動端末が通信経路を選択可能な移動通信システム等を提供することである。
課題を解決するための手段
［００２５］
上述した課題に鑑み、本発明の移動局は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける移動局であって、
前記ホームネットワークに含まれるアクセス制御装置との間の、ホームネットワークに接続するローカルＩＰアクセス（ＬＩＰＡ）のためのＰＤＮコネクションを確立するために、
前記位置管理装置に対して、ホームネットワークに接続するローカルＩＰアクセスが許可されているＡＰＮを含むＰＤＮコネクティビティ要求を送信することを特徴とする。
［００２６］
また、本発明の移動局において、前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする。
［００２７］
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける位置管理装置であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていることを確認し、
前記移動局と前記ホームネットワークに含まれるアクセス制御装置との間の、ホームネットワークに接続するローカルＩＰアクセスのためのＰＤＮコネクションの確立を許可するか否かを決定することを特徴とする。
［００２８］
また、本発明の位置管理装置において、
前記加入者情報管理装置は、サブスクリプションデータにＣＳＧ  ＩＤのリ
【手続補正５】
【補正対象書類名】明細書
【補正対象項目名】０００７
【補正方法】変更
【補正の内容】
【０００７】
ストを記憶しており、
前記加入者情報管理装置から取得したＣＳＧ  ＩＤのリストも用いて、
前記ＰＤＮコネクションの確立を許可するか否かを決定することを特徴とする。
［００２９］
また、本発明の位置管理装置において、
前記ＰＤＮコネクションの確立を許可する場合に、
前記ＰＤＮコネクションを確立させるために、
ＰＤＮコネクティビティ許可を移動局に送信することを特徴とする。
［００３０］
また、本発明の位置管理装置において、
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする。
［００３１］
本発明の加入者情報管理装置は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける加入者情報管理装置であって、
位置管理装置が前記移動局と前記ホームネットワークに含まれるアクセス制御装置との間の、ホームネットワークに接続するローカルＩＰアクセス（ＬＩＰＡ）のためのＰＤＮコネクションの確立を許可するか否かを決定するために、ＡＰＮに対してホームネットワークに接続するローカルＩＰアクセスが許可されているか否かの情報を記憶することを特徴とする。
また、本発明の加入者情報管理装置は、
前記ＡＰＮに対してホームネットワークに接続するローカルＩＰアクセスが許可されているか否かの情報を、前記位置管理装置に送信することを特徴とする。
また、本発明の加入者情報管理装置において、前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする。
本発明の位置管理装置は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおける位置管理装置であって、
前記加入者情報管理装置は、ＡＰＮに対してホームネットワークに接続する
【手続補正６】
【補正対象書類名】明細書
【補正対象項目名】０００８
【補正方法】変更
【補正の内容】
【０００８】
ローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていないことを確認した場合、
前記移動局と前記ホームネットワークに含まれるアクセス制御装置との間の、ホームネットワークに接続するローカルＩＰアクセスのためのＰＤＮコネクションの確立を許可しないことを特徴とする。
また、本発明の位置管理装置は、前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする。
本発明の移動通信システムは、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記移動局は、
前記ホームネットワークに含まれるアクセス制御装置との間の、ホームネットワークに接続するローカルＩＰアクセス（ＬＩＰＡ）のためのＰＤＮコネクションを確立するために、
前記位置管理装置に対して、ホームネットワークに接続するローカルＩＰアクセスが許可されているＡＰＮを含むＰＤＮコネクティビティ要求を送信することを特徴とする。
本発明の移動通信システムは、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記加入者情報管理装置は、ＡＰＮに対してホームネットワークに接続するローカルＩＰアクセス（ＬＩＰＡ）が許可されているか否かの情報を記憶しており、
前記位置管理装置は、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていることを確認し、
前記移動局と前記ホームネットワークに含まれるアクセス制御装置との間の、ホームネットワークに接続するローカルＩＰアクセスのためのＰＤＮコネクションの確立を許可するか否かを決定することを特徴とする。
また、本発明の移動通信システムにおいて、前記加入者情報管理装置は、サブスクリプションデータにＣＳＧ  ＩＤのリストを記憶しており、
前記位置管理装置は、
前記加入者情報管理装置から取得したＣＳＧ  ＩＤのリストも用いて、
前記ＰＤＮコネクションの確立を許可するか否かを決定することを特徴とする。
また、本発明の移動通信システムにおいて、
前記位置管理装置は、
前記ＰＤＮコネクションの確立を許可する場合に、
前記ＰＤＮコネクションを確立させるために、
ＰＤＮコネクティビティ許可を移動局に送信することを特徴とする。
本発明の移動通信システムは、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記加入者情報管理装置は、
位置管理装置が前記移動局と前記ホームネットワークに含まれるアクセス制御装置との間の、ホームネットワークに接続するローカルＩＰアクセス（ＬＩＰＡ）のためのＰＤＮコネクションの確立を許可するか否かを決定するために、ＡＰＮに対してホームネットワークに接続するローカルＩＰアクセスが許可されているか否かの情報を記憶することを特徴とする。
本発明の移動通信システムにおいて、
前記加入者情報管理装置は、
前記ＡＰＮに対してホームネットワークに接続するローカルＩＰアクセスが許可されているか否かの情報を、前記位置管理装置に送信することを特徴とする。
本発明の移動通信システムにおいて、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムであって、
前記加入者情報管理装置は、ＡＰＮに対してホームネットワークに接続するローカルＩＰアクセス（ＬＩＰＡ）が許可されているか否かの情報を記憶しており、
前記位置管理装置は、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていないことを確認した場合、
前記移動局と前記ホームネットワークに含まれるアクセス制御装置との間の、ホームネットワークに接続するローカルＩＰアクセスのためのＰＤＮコネクションの確立を許可しないことを特徴とする。
本発明の移動通信システムにおいて、
前記ホームネットワークに含まれるアクセス制御装置は、ＬＴＥ基地局装置とともにホーム基地局（ＨｅＮＢ；Ｈｏｍｅ  ｅＮｏｄｅ  Ｂ）に含まれて構成されることを特徴とする。
本発明のアクセス制御装置は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおけるホームネットワークに含まれるアクセス制御装置であって、
移動局との間の、ホームネットワークに接続するローカルＩＰアクセス（ＬＩＰＡ）のためのＰＤＮコネクションを確立する処理を行うことを特徴とする。
本発明のホーム基地局は、
移動局（ＵＥ；Ｕｓｅｒ  Ｅｑｕｉｐｍｅｎｔ）と、ホーム基地局と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムにおけるホーム基地局であって、
移動局との間の、ホームネットワークに接続するローカルＩＰアクセス（ＬＩＰＡ）のためのＰＤＮコネクションを確立する処理を行うホームネットワークに含まれるアクセス制御装置と、ＬＴＥ基地局とを含んで構成することを特徴とする。
本発明の移動局における通信方法は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムの移動局における通信方法であって、
前記移動局と前記ホームネットワークに含まれるアクセス制御装置との間の、ホームネットワークに接続するローカルＩＰアクセス（ＬＩＰＡ）のためのＰＤＮコネクションを確立するために、
前記位置管理装置に対して、ホームネットワークに接続するローカルＩＰアクセスが許可されているＡＰＮを含むＰＤＮコネクティビティ要求を送信することを特徴とする。
本発明の位置管理装置における通信方法は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムの位置管理装置における通信方法であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていることを確認し、
前記移動局と前記ホームネットワークに含まれるアクセス制御装置との間の、ホームネットワークに接続するローカルＩＰアクセスのためのＰＤＮコネクションの確立を許可するか否かを決定することを特徴とする。
本発明の位置管理装置における通信方法は、
移動局（ＵＥ；Ｕｓｅｒ  Ｅｑｕｉｐｍｅｎｔ）と、ホームネットワークに含まれるアクセス制御装置と、コアネットワークに含まれるアクセス制御装置（ＰＧＷ；Ｐａｃｋｅｔ  ｄａｔａ  ＧＷ）と、加入者情報管理装置（ＨＳＳ；Ｈｏｍｅ  Ｓｕｂｓｃｒｉｂｅｒ  Ｓｅｒｖｉｃｅ）と、位置管理装置（ＭＭＥ；Ｍｏｂｉｌｉｔｙ  Ｍａｎａｇｅｍｅｎｔ  Ｅｎｔｉｔｙ）とを含んで構成される移動通信システムの位置管理装置における通信方法であって、
前記加入者情報管理装置は、ＡＰＮに対してホームネットワークに接続するローカルＩＰアクセス（ＬＩＰＡ）が許可されているか否かの情報を記憶しており、
前記移動局から、接続先のＡＰＮを含むＰＤＮコネクティビティ要求を受信し、
前記加入者情報管理装置から提供された情報により、前記移動局から提供されたＡＰＮが、ホームネットワークに接続するローカルＩＰアクセスが許可されていないことを確認した場合、
前記移動局と前記ホームネットワークに含まれるアクセス制御装置との間の、ホームネットワークに接続するローカルＩＰアクセスのためのＰＤＮコネクションの確立を許可しないことを特徴とする。
発明の効果
［００３２］
本発明によれば、既存のシステムへの改変を最小限に抑えながら、移動端末がホーム基地局のローカルＩＰアクセス機能を用いたサービスを利用する際に、ホーム基地局所有者或いは移動通信事業者がサービス単位のアクセス制御を行うことができる。
図面の簡単な説明
［００３３］
［図１］第１実施形態における移動通信システムの概略図である。
［図２］第１実施形態におけるＰＧＷの構成図である。
［図３］第１実施形態におけるＰＧＷのバインディング情報を示す図である。
［図４］第１実施形態におけるＳＧＷの構成図である。
［図５］第１実施形態におけるＨＳＳの構成図である。
［図６］第１実施形態におけるＨＳＳのサブスクリプションＤＢの一例を示す図である。
［図７］第１実施形態におけるＭＭＥの構成図である。
［図８］第１実施形態におけるＭＭＥのサブスクリプションＤＢの一例を示す図である。
［図９］第１実施形態におけるＭＭＥのＡＰＮ−ＩＰアドレス変換ＤＢの一例を
【手続補正７】
【補正対象書類名】明細書
【補正対象項目名】００３７
【補正方法】変更
【補正の内容】
【００３７】
もよい。この場合、ＡＰＮ−ＩＰアドレス変換ＤＢ４５４を更新後、ＳＩ設定応答を送信する（Ｓ６０２）。
［０２０４］
以上、この発明の実施形態について図面を参照して詳述してきたが、具体的な構成はこの実施形態に限られるものではなく、この発明の要旨を逸脱しない範囲の設計等も特許請求の範囲に含まれる。
なお、上述した通り、本実施形態は、以下のように記載することもできる。
本実施形態の移動通信システムは、移動端末が接続されたホーム基地局を有するホームネットワークと、加入者情報管理装置、位置管理装置及びアクセス制御装置が接続されるコアネットワークとが外部ネットワークを介して接続されている移動通信システムであって、前記加入者情報管理装置は、前記移動端末を識別する移動端末識別子に対応づけて、ホーム基地局を識別するためのＡＰＮ（Ａｃｃｅｓｓ  Ｐｏｉｎｔ  Ｎａｍｅ）と、前記移動端末が利用可能なサービス種別とをサブスクリプション情報として記憶するサブスクリプション記憶部と、前記位置管理装置より、前記移動端末の位置情報更新要求を受信する位置情報更新要求受信部と、前記位置情報更新要求に含まれる移動端末識別子に対応するサービス種別を前記サブスクリプション記憶部から抽出し、位置情報更新応答に含めて前記位置管理装置へ送信する位置情報応答送信部と、を備えることを特徴とする。
本実施形態の加入者情報管理装置は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる加入者情報管理装置であって、前記移動端末を識別する移動端末識別子に対応づけて、ホーム基地局を識別するためのＡＰＮ（Ａｃｃｅｓｓ  Ｐｏｉｎｔ  Ｎａｍｅ）と、前記移動端末が前記ホーム基地局を介して利用可能なサービス種別とをサブスクリプション情報として記憶するサブスクリプション記憶部と、前記位置管理装置より、前記移動端末の位置情報更新要求を受信する位置情報更新要求受信部と、前記位置情報更新要求に含まれる移動端末識別子に対応するサービス種別を前記サブスクリプション記憶部から抽出し、位置情報更新応答に含めて前記位置管理装置へ送信する位置情報応答送信部と、を備えることを特徴とする。
また、本実施形態の加入者情報管理装置において、前記サブスクリプション情報に含まれる前記移動端末が利用可能なサービス種別は、前記移動端末がインターネットへの接続の許否及びホームネットワークへの接続の許否を示すことを特徴とする。
本実施形態の位置管理装置は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる位置管理装置であって、前記移動端末から移動端末識別子を含むアタッチ要求を受信するアタッチ要求受信部と、前記アタッチ要求から移動端末識別子を抽出し、当該移動識別子を含む位置情報更新要求を、前記加入者情報管理装置へ送信する位置情報更新要求送信部と、前記加入者情報管理装置から、前記移動端末が利用可能なサービス種別を含む位置情報更新応答を受信する位置情報更新応答受信部と、前記位置情報更新応答から、サービス種別を抽出し、当該利用可能サービスに基づいて、前記移動端末からのアタッチ要求の可否を判定するアタッチ要求可否判定部と、を備えることを特徴とする。
本実施形態のホーム基地局は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれるホーム基地局であって、前記位置管理装置から、サービス種別を含むベアラ設定要求を受信するベアラ設定要求受信部と、前記移動端末の通信を制御するために、サービス種別に応じたパケットフィルタリング情報を記憶するパケットフィルタリング情報記憶部と、前記ベアラ設定要求に含まれるサービス種別と、前記パケットフィルタリング情報とから、接続される移動端末に対してパケットフィルタリングの制御を行うパケットフィルタリング制御部と、を備えることを特徴とする。
本実施形態の移動端末は、移動端末が接続されたホーム基地局を有するホームネットワークと、加入者情報管理装置、位置管理装置及びアクセス制御装置が接続されるコアネットワークとが外部ネットワークを介して接続されている移動通信システムに含まれる移動端末であって、前記ホーム基地局には、ローカルＩＰアクセス用アクセス制御装置が含まれており、前記ホーム基地局から、サービス種別を受信するサービス種別受信部と、前記サービス種別に応じて、移動端末が通信路を確保するためのアクセス制御装置として、コアネットワークに接続されているアクセス制御装置を利用するか、ホーム基地局に含まれているローカルＩＰアクセス用アクセス制御装置を利用するかを選択する選択部と、を備えることを特徴とする。
また、本実施形態の移動端末において、前記サービス種別受信部は、前記ホーム基地局から送信されるＰＣＯ（Ｐｒｏｔｏｃｏｌ  Ｃｏｎｆｉｇｕｒａｔｉｏｎ  Ｏｐｔｉｏｎ）を受信し、当該ＰＣＯに含まれているサービス種別から抽出することを特徴とする。
符号の説明
［０２０５］
１  移動通信システム
１０  ＰＧＷ
１００  制御部
１１０  送受信部
１２０  パケット送受信部
１５０  記憶部
１５２  バインディング情報
１６０  ＰＭＩＰ処理部
２０  ＳＧＷ
２００  制御部
２１０  送受信部
２２０  パケット送受信部
２５０  記憶部
２６０  ＰＭＩＰ処理部
２７０  ベアラ確立処理部
３０  ＨＳＳ
３００  制御部
３１０  送受信部
３５０  記憶部
３５２  サブスクリプションＤＢ
４０    ＭＭＥ
４００  制御部
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムであって、
前記移動局は、
ＡＰＮ（Access Point Name）を含むＰＤＮ（Packet Data Network）コネクティビティ要求を前記位置管理装置に対して送信し、
前記加入者情報管理装置は、
ホームネットワークに接続するローカルＩＰアクセス（ＬＩＰＡ）がＡＰＮに対して許可されているか否かの情報を含むサブスクリプションデータを前記位置管理装置に対して提供し、
前記位置管理装置は、
前記加入者情報管理装置から提供された前記サブスクリプションデータに従って、前記移動局から送信されたＡＰＮが前記ローカルＩＰアクセスに対して許可されていることを確認した場合には、
アクセス制御装置として前記第１のアクセス制御装置を選択し、
前記移動局と前記第１のアクセス制御装置との間の第１のＰＤＮコネクションの確立を許可し、
前記第１のＰＤＮコネクションの確立の許可を前記移動局に対して送信し、
前記移動局は、
前記位置管理装置から前記第１のＰＤＮコネクションの確立の許可を受信し、
前記ローカルＩＰアクセスを行うために、前記第１のアクセス制御装置との間の前記第１のＰＤＮコネクションを確立し、
前記第１のＰＤＮコネクションを介して、前記情報端末とデータを送受信する、
ことを特徴とする移動通信システム。
【請求項２】
前記位置管理装置は、
前記加入者情報管理装置から提供された前記サブスクリプションデータに従って、前記移動局から送信されたＡＰＮが前記ローカルＩＰアクセスに対して許可されていないことを確認した場合には、
アクセス制御装置として前記第２のアクセス制御装置を選択し、
前記移動局と前記第２のアクセス制御装置との間の第２のＰＤＮコネクションの確立を許可し、
前記第２のＰＤＮコネクションの確立の許可を前記移動局に対して送信し、
前記移動局は、
前記位置管理装置から前記第２のＰＤＮコネクションの確立の許可を受信し、
前記第２のアクセス制御装置との間の前記第２のＰＤＮコネクションを確立し、
前記第２のＰＤＮコネクションを介して、外部ＰＤＮとデータを送受信する、
ことを特徴とする請求項１に記載の移動通信システム。
【請求項３】
前記加入者情報管理装置は、
ＣＳＧ（Closed Subscriber Group）ＩＤのリストも前記位置管理装置に対して提供し、
前記位置管理装置は、
前記加入者情報管理装置から提供されたＣＳＧＩＤのリストも用いて、前記第１のＰＤＮコネクションの確立を許可する、
ことを特徴とする請求項１に記載の移動通信システム。
【請求項４】
前記位置管理装置は、
前記加入者情報管理装置から提供された前記サブスクリプションデータに従って、前記移動局から提供されたＡＰＮが前記ローカルＩＰアクセスに対して許可されていないことを確認した場合には、
前記第１のＰＤＮコネクションの確立を許可せず、
前記第１のＰＤＮコネクションの確立の不許可を前記移動局に対して送信し、
前記移動局は、
前記位置管理装置から前記第１のＰＤＮコネクションの確立の不許可を受信し、
前記ローカルＩＰアクセスを行うために、前記第１のアクセス制御装置との間の前記第１のＰＤＮコネクションを確立しない、
ことを特徴とする請求項１から３の何れか一項に記載の移動通信システム。
【請求項５】
前記第１のアクセス制御装置は、ホーム基地局（ＨｅＮＢ；Home eNode B）の一部として構成される、
ことを特徴とする請求項１に記載の移動通信システム。
【請求項６】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける移動局であって、
ＡＰＮ（Access Point Name）を含むＰＤＮ（Packet Data Network）コネクティビティ要求を前記位置管理装置に対して送信し、
前記第１のアクセス制御装置との間の第１のＰＤＮコネクションの確立の許可を前記位置管理装置から受信した場合には、
ホームネットワークに接続するローカルＩＰアクセス（ＬＩＰＡ）を行うために、前記位置管理装置によって選択された前記第１のアクセス制御装置との間の前記第１のＰＤＮコネクションを確立し、
前記第１のＰＤＮコネクションを介して、前記情報端末とデータを送受信する、
ことを特徴とする移動局。
【請求項７】
前記第２のアクセス制御装置との間の第２のＰＤＮコネクションの確立の許可を前記位置管理装置から受信した場合には、
前記第２のアクセス制御装置との間の前記第２のＰＤＮコネクションを確立し、
前記第２のＰＤＮコネクションを介して、外部ＰＤＮとデータを送受信する、
ことを特徴とする請求項６に記載の移動局。
【請求項８】
前記第１のＰＤＮコネクションの確立の不許可を前記位置管理装置から受信した場合には、
前記ローカルＩＰアクセスを行うために、前記第１のアクセス制御装置との間の前記第１のＰＤＮコネクションを確立しない、
ことを特徴とする請求項６又は７に記載の移動局。
【請求項９】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける位置管理装置であって、
前記加入者情報管理装置から提供された、ホームネットワークに接続するローカルＩＰアクセス（ＬＩＰＡ）がＡＰＮに対して許可されているか否かの情報を含むサブスクリプションデータに従って、前記移動局から提供されたＡＰＮが前記ローカルＩＰアクセスに対して許可されていることを確認した場合には、
アクセス制御装置として前記第１のアクセス制御装置を選択し、
前記移動局と前記第１のアクセス制御装置との間の第１のＰＤＮコネクションの確立を許可し、
前記第１のＰＤＮコネクションの確立の許可を前記移動局に対して送信する、
ことを特徴とする位置管理装置。
【請求項１０】
前記加入者情報管理装置から提供された前記サブスクリプションデータに従って、前記移動局から提供されたＡＰＮが前記ローカルＩＰアクセスに対して許可されていないことを確認した場合には、
アクセス制御装置として前記第２のアクセス制御装置を選択し、
前記移動局と前記第２のアクセス制御装置との間の第２のＰＤＮコネクションの確立を許可し、
前記第２のＰＤＮコネクションの確立の許可を前記移動局に対して送信する、
ことを特徴とする請求項９に記載の位置管理装置。
【請求項１１】
前記加入者情報管理装置から提供されたＣＳＧ（Closed Subscriber Group）ＩＤのリストも用いて、前記第１のＰＤＮコネクションの確立を許可する、
ことを特徴とする請求項９に記載の位置管理装置。
【請求項１２】
前記加入者情報管理装置から提供された前記サブスクリプションデータに従って、前記移動局から提供されたＡＰＮが前記ローカルＩＰアクセスに対して許可されていないことを確認した場合には、
前記第１のＰＤＮコネクションの確立を許可せず、
前記第１のＰＤＮコネクションの確立の不許可を前記移動局に対して送信する、
ことを特徴とする請求項９から１１の何れか一項に記載の位置管理装置。
【請求項１３】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける加入者情報管理装置であって、
前記位置管理装置において、前記移動局から提供されたＡＰＮがホームネットワークに接続するローカルＩＰアクセス（ＬＩＰＡ）に対して許可されているか否かを確認できるように、
前記ローカルＩＰアクセスがＡＰＮに対して許可されているか否かの情報を含むサブスクリプションデータを前記位置管理装置に対して提供する、
ことを特徴とする加入者情報管理装置。
【請求項１４】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける第１のアクセス制御装置であって、
ホームネットワークに接続するローカルＩＰアクセス（ＬＩＰＡ）を行うことによって、前記移動局と前記情報端末との間でデータを送受信できるように、
前記移動局との間の第１のＰＤＮコネクションを確立する処理を行う、
ことを特徴とする第１のアクセス制御装置。
【請求項１５】
前記第１のアクセス制御装置は、ホーム基地局（ＨｅＮＢ；Home eNode B）の一部として構成される、
ことを特徴とする請求項１４に記載の第１のアクセス制御装置。
【請求項１６】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける移動局の通信方法であって、
ＡＰＮを含むＰＤＮコネクティビティ要求を前記位置管理装置に対して送信し、
前記第１のアクセス制御装置との間の第１のＰＤＮコネクションの確立の許可を前記位置管理装置から受信した場合には、
ホームネットワークに接続するローカルＩＰアクセス（ＬＩＰＡ）を行うために、前記位置管理装置によって選択された前記第１のアクセス制御装置との間の前記第１のＰＤＮコネクションを確立し、
前記第１のＰＤＮコネクションを介して、前記情報端末とデータを送受信する、
ことを特徴とする通信方法。
【請求項１７】
前記第２のアクセス制御装置との間の第２のＰＤＮコネクションの確立の許可を前記位置管理装置から受信した場合には、
前記第２のアクセス制御装置との間の前記第２のＰＤＮコネクションを確立し、
前記第２のＰＤＮコネクションを介して、外部ＰＤＮとデータを送受信する、
ことを特徴とする請求項１６に記載の通信方法。
【請求項１８】
前記第１のＰＤＮコネクションの確立の不許可を前記位置管理装置から受信した場合には、
前記ローカルＩＰアクセスを行うために、前記第１のアクセス制御装置との間の前記第１のＰＤＮコネクションを確立しない、
ことを特徴とする請求項１６又は１７に記載の通信方法。
【請求項１９】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける位置管理装置の通信方法であって、
前記加入者情報管理装置から提供された、ホームネットワークに接続するローカルＩＰアクセス（ＬＩＰＡ）がＡＰＮに対して許可されているか否かの情報を含むサブスクリプションデータに従って、前記移動局から提供されたＡＰＮが前記ローカルＩＰアクセスに対して許可されていることを確認した場合には、
アクセス制御装置として前記第１のアクセス制御装置を選択し、
前記移動局と前記第１のアクセス制御装置との間の第１のＰＤＮコネクションの確立を許可し、
前記第１のＰＤＮコネクションの確立の許可を前記移動局に対して送信する、
ことを特徴とする通信方法。
【請求項２０】
前記加入者情報管理装置から提供された前記サブスクリプションデータに従って、前記移動局から提供されたＡＰＮが前記ローカルＩＰアクセスに対して許可されていないことを確認した場合には、
アクセス制御装置として前記第２のアクセス制御装置を選択し、
前記移動局と前記第２のアクセス制御装置との間の第２のＰＤＮコネクションの確立を許可し、
前記第２のＰＤＮコネクションの確立の許可を前記移動局に対して送信する、
ことを特徴とする請求項１９に記載の通信方法。
【請求項２１】
前記加入者情報管理装置から提供されたＣＳＧ（Closed Subscriber Group）ＩＤのリストも用いて、前記第１のＰＤＮコネクションの確立を許可する、
ことを特徴とする請求項１９に記載の通信方法。
【請求項２２】
前記加入者情報管理装置から提供された前記サブスクリプションデータに従って、前記移動局から提供されたＡＰＮが前記ローカルＩＰアクセスに対して許可されていないことを確認した場合には、
前記第１のＰＤＮコネクションの確立を許可せず、
前記第１のＰＤＮコネクションの確立の不許可を前記移動局に対して送信する、
ことを特徴とする請求項１９から２１の何れか一項に記載の通信方法。
【請求項２３】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける加入者情報管理装置の通信方法であって、
前記位置管理装置において、前記移動局から提供されたＡＰＮがホームネットワークに接続するローカルＩＰアクセス（ＬＩＰＡ）に対して許可されているか否かを確認できるように、
前記ローカルＩＰアクセスがＡＰＮに対して許可されているか否かの情報を含むサブスクリプションデータを前記位置管理装置に対して提供する、
ことを特徴とする通信方法。
【請求項２４】
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける第１のアクセス制御装置の通信方法であって、
ホームネットワークに接続するローカルＩＰアクセス（ＬＩＰＡ）を行うことによって、前記移動局と前記情報端末との間でデータを送受信できるように、
前記移動局との間の第１のＰＤＮコネクションを確立する処理を行う、
ことを特徴とする通信方法。
【手続補正３】
【補正対象書類名】明細書
【補正対象項目名】００２５
【補正方法】変更
【補正の内容】
【００２５】
上述した課題に鑑み、本発明の移動通信システムは、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムであって、
前記移動局は、
ＡＰＮ（Access Point Name）を含むＰＤＮ（Packet Data Network）コネクティビティ要求を前記位置管理装置に対して送信し、
前記加入者情報管理装置は、
ホームネットワークに接続するローカルＩＰアクセス（ＬＩＰＡ）がＡＰＮに対して許可されているか否かの情報を含むサブスクリプションデータを前記位置管理装置に対して提供し、
前記位置管理装置は、
前記加入者情報管理装置から提供された前記サブスクリプションデータに従って、前記移動局から送信されたＡＰＮが前記ローカルＩＰアクセスに対して許可されていることを確認した場合には、
アクセス制御装置として前記第１のアクセス制御装置を選択し、
前記移動局と前記第１のアクセス制御装置との間の第１のＰＤＮコネクションの確立を許可し、
前記第１のＰＤＮコネクションの確立の許可を前記移動局に対して送信し、
前記移動局は、
前記位置管理装置から前記第１のＰＤＮコネクションの確立の許可を受信し、
前記ローカルＩＰアクセスを行うために、前記第１のアクセス制御装置との間の前記第１のＰＤＮコネクションを確立し、
前記第１のＰＤＮコネクションを介して、前記情報端末とデータを送受信する、
ことを特徴とする。
本発明の移動局は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける移動局であって、
ＡＰＮ（Access Point Name）を含むＰＤＮ（Packet Data Network）コネクティビティ要求を前記位置管理装置に対して送信し、
前記第１のアクセス制御装置との間の第１のＰＤＮコネクションの確立の許可を前記位置管理装置から受信した場合には、
ホームネットワークに接続するローカルＩＰアクセス（ＬＩＰＡ）を行うために、前記位置管理装置によって選択された前記第１のアクセス制御装置との間の前記第１のＰＤＮコネクションを確立し、
前記第１のＰＤＮコネクションを介して、前記情報端末とデータを送受信する、
ことを特徴とする。
本発明の位置管理装置は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける位置管理装置であって、
前記加入者情報管理装置から提供された、ホームネットワークに接続するローカルＩＰアクセス（ＬＩＰＡ）がＡＰＮに対して許可されているか否かの情報を含むサブスクリプションデータに従って、前記移動局から提供されたＡＰＮが前記ローカルＩＰアクセスに対して許可されていることを確認した場合には、
アクセス制御装置として前記第１のアクセス制御装置を選択し、
前記移動局と前記第１のアクセス制御装置との間の第１のＰＤＮコネクションの確立を許可し、
前記第１のＰＤＮコネクションの確立の許可を前記移動局に対して送信する、
ことを特徴とする。
本発明の加入者情報管理装置は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける加入者情報管理装置であって、
前記位置管理装置において、前記移動局から提供されたＡＰＮがホームネットワークに接続するローカルＩＰアクセス（ＬＩＰＡ）に対して許可されているか否かを確認できるように、
前記ローカルＩＰアクセスがＡＰＮに対して許可されているか否かの情報を含むサブスクリプションデータを前記位置管理装置に対して提供する、
ことを特徴とする。
本発明の第１のアクセス制御装置は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける第１のアクセス制御装置であって、
ホームネットワークに接続するローカルＩＰアクセス（ＬＩＰＡ）を行うことによって、前記移動局と前記情報端末との間でデータを送受信できるように、
前記移動局との間の第１のＰＤＮコネクションを確立する処理を行う、
ことを特徴とする。
本発明の通信方法は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける移動局の通信方法であって、
ＡＰＮを含むＰＤＮコネクティビティ要求を前記位置管理装置に対して送信し、
前記第１のアクセス制御装置との間の第１のＰＤＮコネクションの確立の許可を前記位置管理装置から受信した場合には、
ホームネットワークに接続するローカルＩＰアクセス（ＬＩＰＡ）を行うために、前記位置管理装置によって選択された前記第１のアクセス制御装置との間の前記第１のＰＤＮコネクションを確立し、
前記第１のＰＤＮコネクションを介して、前記情報端末とデータを送受信する、
ことを特徴とする。
本発明の通信方法は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける位置管理装置の通信方法であって、
前記加入者情報管理装置から提供された、ホームネットワークに接続するローカルＩＰアクセス（ＬＩＰＡ）がＡＰＮに対して許可されているか否かの情報を含むサブスクリプションデータに従って、前記移動局から提供されたＡＰＮが前記ローカルＩＰアクセスに対して許可されていることを確認した場合には、
アクセス制御装置として前記第１のアクセス制御装置を選択し、
前記移動局と前記第１のアクセス制御装置との間の第１のＰＤＮコネクションの確立を許可し、
前記第１のＰＤＮコネクションの確立の許可を前記移動局に対して送信する、
ことを特徴とする。
本発明の通信方法は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける加入者情報管理装置の通信方法であって、
前記位置管理装置において、前記移動局から提供されたＡＰＮがホームネットワークに接続するローカルＩＰアクセス（ＬＩＰＡ）に対して許可されているか否かを確認できるように、
前記ローカルＩＰアクセスがＡＰＮに対して許可されているか否かの情報を含むサブスクリプションデータを前記位置管理装置に対して提供する、
ことを特徴とする。
本発明の通信方法は、
移動局（ＵＥ；User Equipment）と、ホームネットワークに含まれる第１のアクセス制御装置と、コアネットワークに含まれる第２のアクセス制御装置（ＰＧＷ；Packet data GW）と、加入者情報管理装置（ＨＳＳ；Home Subscriber Service）と、位置管理装置（ＭＭＥ；Mobility Management Entity）と、ホームネットワークに含まれる情報端末とを含んで構成される移動通信システムにおける第１のアクセス制御装置の通信方法であって、
ホームネットワークに接続するローカルＩＰアクセス（ＬＩＰＡ）を行うことによって、前記移動局と前記情報端末との間でデータを送受信できるように、
前記移動局との間の第１のＰＤＮコネクションを確立する処理を行う、
ことを特徴とする。
【手続補正４】
【補正対象書類名】明細書
【補正対象項目名】００２６
【補正方法】削除
【補正の内容】
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【国際調査報告】
2010150734.tif 000033
2010150734.tif 000034
2010150734.tif 000035